(57)【要約】【課題】発光演出のバリエーションを増やして興趣の向上を図る。【解決手段】可動演出装置Ｍ１は、横並びに配設された第１可動体ユニットＵ１および第２可動体ユニットＵ２を備える。第１可動体ユニットＵ１は、初期位置および該初期位置から離間した移動位置の間を異なる移動量で移動可能な第１可動体４０および第２可動体４１を備え、第２可動体ユニットＵ２は、初期位置および該初期位置から離間した移動位置の間を異なる移動量で移動可能な第３可動体１４０および第４可動体１４１を備える。第１可動体４０および第２可動体４１には、両可動体４０,４１の上下方向での相対移動時に前後に重なる第１、第２ライン発光部９６,１２０が設けられ、第３可動体１４０および第４可動体１４１には、両可動体１４０,１４１の上下方向での相対移動時に前後に重なる第３、第４ライン発光部１５６,１７６が設けられている。【選択図】図１４
2015029850.tif 000002
【特許請求の範囲】
【請求項１】
可動体を動作させる可動演出装置を備えた遊技機であって、
前記可動演出装置は、
初期位置および該初期位置から離間した移動位置の間を移動可能に配設され、各々の初期位置が前後に重なると共に各々の移動位置が移動方向にずれた複数の可動体と、
移動位置において正面から視認可能な前記各可動体の視認可能部位に夫々設けられ、前記移動方向へ延在すると共に各可動体の移動方向への相対移動時に少なくとも一部が前後方向で重なる発光部と、
作動制御手段により制御され、前記複数の可動体のうち移動量が最大の可動体に連係して、当該移動量が最大の可動体を前記初期位置および移動位置の間で移動させる作動機構と、
前記各発光部を個別に発光制御可能な発光制御手段とを備え、
前記移動量が最大の可動体を除く可動体は、該移動量が最大の可動体と前後に重なりながら各々の初期位置と移動位置との間を移動するよう構成され、
前記各可動体が各々の初期位置および移動位置の間を移動することで、各発光部により形成される発光部分の正面視での長さが長短変化するよう構成された
ことを特徴とする遊技機。
【請求項２】
前後に隣接して配設された前記可動体において、移動量が大きい一方の可動体には、移動量が小さい他方の可動体が初期位置と移動位置との間にある場合に、他方の可動体が移動位置側へ移動するのを規制するよう該他方の可動体に係合すると共に、前記他方の可動体が移動位置に到達した場合に該他方の可動体との係合が解除される規制部が設けられ、
前記作動機構の作動により前記移動量が最大の可動体が前記初期位置から移動位置へ移動する際に、前記規制部の係合解除により移動量が小さい可動体から移動位置に停止するよう構成した請求項１記載の遊技機。
【請求項３】
前記可動演出装置は、前記複数の可動体、発光部および作動機構からなる可動部を、該可動体の移動方向と交差する方向へ並んだ状態で複数備え、
前記各可動部の各発光部は、隣接する他方の可動部の各可動体に隣接する部分に各々設けられた請求項１または２記載の遊技機。
【発明の詳細な説明】
【技術分野】
【０００１】
この発明は、可動体を動作させる可動演出装置を備えた遊技機に関するものである。
【背景技術】
【０００２】
代表的な遊技機であるパチンコ機は、遊技盤の前側に画成した遊技領域の略中央位置に枠状の枠状装飾部材(所謂センター役物)が配設されており、この枠状装飾部材の開口部を介して複数の図柄を変動表示して図柄変動演出を行なう液晶式やドラム式等の図柄表示装置を後方から臨ませると共に、該遊技盤における枠状装飾部材の下方位置に、パチンコ球(遊技球)の入賞により図柄表示装置での変動を開始させる始動入賞装置や当り時に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂当りが発生し、前記特別入賞装置が開放して多数の賞球を獲得し得るよう構成される。
【０００３】
またパチンコ機では、リーチ予告時、リーチ発生時、当り予告時、当り発生時等に合わせて、遊技盤に備えた発光装置によって光による演出を行なうことで、視覚的な演出効果を向上させて遊技の興趣を高めている(例えば、特許文献１参照)。
【先行技術文献】
【特許文献】
【０００４】
【特許文献１】特開２００４−２８３２４６号公報
【発明の概要】
【発明が解決しようとする課題】
【０００５】
特許文献１のパチンコ機では、発光装置が遊技盤に固定配置されているため、発光演出のバリエーションが少なく、ワンパターンとなって演出の興趣を充分に向上し得るものではなかった。
【０００６】
すなわち本発明は、従来の技術に係る遊技機に内在する前記課題に鑑み、これを好適に解決するべく提案されたものであって、発光演出のバリエーションを増やして興趣の向上を図り得る遊技機を提供することを目的とする。
【課題を解決するための手段】
【０００７】
前記課題を克服し、所期の目的を達成するため、本願の請求項１に係る発明は、
可動体を動作させる可動演出装置(M1)を備えた遊技機であって、
前記可動演出装置(M1)は、
初期位置および該初期位置から離間した移動位置の間を移動可能に配設され、各々の初期位置が前後に重なると共に各々の移動位置が移動方向にずれた複数の可動体(40,41)と、
移動位置において正面から視認可能な前記各可動体(40,41)の視認可能部位(91,111)に夫々設けられ、前記移動方向へ延在すると共に各可動体(40,41)の移動方向への相対移動時に少なくとも一部が前後方向で重なる発光部(96,120)と、
作動制御手段(204)により制御され、前記複数の可動体(40,41)のうち移動量が最大の可動体(40)に連係して、当該移動量が最大の可動体(40)を前記初期位置および移動位置の間で移動させる作動機構(45)と、
前記各発光部(96,120)を個別に発光制御可能な発光制御手段(203)とを備え、
前記移動量が最大の可動体(40)を除く可動体(41)は、該移動量が最大の可動体(40)と前後に重なりながら各々の初期位置と移動位置との間を移動するよう構成され、
前記各可動体(40,41)が各々の初期位置および移動位置の間を移動することで、各発光部(96,120)により形成される発光部分の正面視での長さが長短変化するよう構成されたことを要旨とする。
【０００８】
請求項１に係る発明によれば、移動量が最大の可動体を作動機構により初期位置から移動位置へ移動させる際に、当該移動量が最大の可動体を除く可動体は、該移動量が最大の可動体と前後に重なりながら初期位置から移動位置へ移動して移動位置に停止するようになり、複数の可動体が各々の移動位置に移動した場合には、各可動体が移動方向へずれた状態に変位する。従って、各可動体が前後に重なっている場合と各可動体が移動位置に移動した場合とで発光部による形成される発光部分の正面視での長さが長短変化するので、発光演出のバリエーションが増えて興趣の向上を図り得る。また、各可動体が移動位置に移動した状態では、各可動体の発光部が前後にずれて発光するので、立体感がある発光演出を行なうことができる。
【０００９】
請求項２に係る発明では、
前後に隣接して配設された前記可動体(40,41)において、移動量が大きい一方の可動体(40)には、移動量が小さい他方の可動体(41)が初期位置と移動位置との間にある場合に、他方の可動体(41)が移動位置側へ移動するのを規制するよう該他方の可動体(41)に係合すると共に、前記他方の可動体(41)が移動位置に到達した場合に該他方の可動体(41)との係合が解除される規制部(151b)が設けられ、
前記作動機構(45)の作動により前記移動量が最大の可動体(40)が前記初期位置から移動位置へ移動する際に、前記規制部(151b)の係合解除により移動量が小さい可動体(41)から移動位置に停止するよう構成したことを要旨とする。
請求項２に係る発明によれば、作動機構の作動により各可動体が各々の初期位置から移動位置に向けて移動する際に、移動量が小さい一方の可動体が移動位置に到達すると、該一方の可動体と移動量が大きい他方の可動体に設けた係合部との係合が解除されて、他方の可動体が更に移動するので、移動量が小さい可動体から各々の移動位置に順次停止させることができると共に、各可動体を移動方向にずれた状態に変位させることができる。
【００１０】
請求項３に係る発明では、
前記可動演出装置(M1)は、前記複数の可動体(40,41/140,141)、発光部(96,120/156,176)および作動機構(45/145)からなる可動部(U1,U2)を、該可動体(40,41/140,141)の移動方向と交差する方向へ並んだ状態で複数備え、
前記各可動部(U1,U2)の各発光部(96,120/156,176)は、隣接する他方の可動部(U1,U2)の各可動体(40,41/140,141)に隣接する部分に各々設けられたことを要旨とする。
請求項３に係る発明によれば、各可動部の作動機構を同期して作動させ、各可動体を移動方向と交差する方向に整列させた場合には、両可動体の発光部が該移動方向と交差する方向へ並ぶようになり、一方の可動体の発光部だけを発光させた場合と比べて幅広の発光部分を形成することができる。そして、各可動部の作動機構を同期して作動させて各可動体を同期するよう移動させたり、作動機構を個別に作動させて各可動体を個別に移動させると共に、各発光部を同期するよう発光させたり個別に発光させることで、正面視での長さおよび太さが異なる多様な発光部分を形成することができ、発光演出のバリエーションが増えて興趣の向上を図り得る。
【発明の効果】
【００１１】
本願発明に係る遊技機によれば、発光演出のバリエーションが増えて興趣の向上が図られる。
【図面の簡単な説明】
【００１２】
【図１】実施例のパチンコ機を、遊技盤の遊技領域内を省略して示す正面図である。
【図２】実施例のパチンコ機を、前枠を開放すると共に遊技盤の遊技領域内を省略して示す斜視図である。
【図３】実施例の各演出装置の非作動状態で示す遊技盤の正面図である。
【図４】実施例の各演出装置が配設された設置部材の正面図である。
【図５】枠状装飾部材を分離した遊技盤および演出装置が取付けられた設置部材を分離して示す斜視図である。
【図６】図３のＸ１−Ｘ１線断面図である。
【図７】非作動状態の第１演出装置を右前上方から見た斜視図である。
【図８】非作動状態の第１演出装置の正面図である。
【図９】図８のＸ２−Ｘ２線断面図である。
【図１０】第２可動体および第４可動体が夫々移動位置にあると共に第１可動体および第３可動体が夫々中途位置にある状態の第１演出装置を右前上方から見た斜視図である。
【図１１】第２可動体および第４可動体が夫々移動位置にあると共に第１可動体および第３可動体が夫々中途位置にある状態の第１演出装置の正面図である。
【図１２】図１１のＸ３−Ｘ３線断面図である。
【図１３】第１〜第４の各可動体が各々移動位置にある第１演出装置を右前上方から見た斜視図である。
【図１４】第１〜第４の各可動体が各々移動位置にある第１演出装置を左後上方から見た斜視図である。
【図１５】第１〜第４の各可動体が各々移動位置にある第１演出装置の正面図である。
【図１６】図１５のＸ４−Ｘ４線断面図である。
【図１７】連結された第１、第３ベース体から、第２、第４ベース体および第１、第３可動体を夫々分離すると共に、第２、第４ベース体から第２、第４可動体を、分離して右前上方から見た斜視図である。
【図１８】第１および第３ベース体に配設される各構成部材を、分離して右前上方から見た斜視図である。
【図１９】第１、第３スライド手段における第１スライド体および該第１スライド体に配設される各構成部材を、分離して右前上方から見た斜視図である。
【図２０】第１、第３スライド手段における第２スライド体の各構成部材および該第２スライド体に配設される第１、第３可動体の各構成部材を、分離して右前上方から見た斜視図である。
【図２１】第２、第４ベース体に配設される各構成部材および該第２、第４ベース体に配設される第２、第４可動体の各構成部材を、分離して右前上方から見た斜視図である。
【図２２】連結された第１、第３ベース体から、第２、第４ベース体および第１、第３可動体を夫々分離すると共に、第２、第４ベース体から第２、第４可動体を、分離して左後上方から見た斜視図である。
【図２３】第１および第３ベース体に配設される各構成部材を、分離して左後上方から見た斜視図である。
【図２４】第１、第３スライド手段における第１スライド体および該第１スライド体に配設される各構成部材を、分離して左後上方から見た斜視図である。
【図２５】第１、第３スライド手段における第２スライド体の各構成部材および該第２スライド体に配設される第１、第３可動体の各構成部材を、分離して左後上方から見た斜視図である。
【図２６】第２、第４ベース体に配設される各構成部材および該第２、第４ベース体に配設される第２、第４可動体の各構成部材を、分離して左後上方から見た斜視図である。
【図２７】実施例に係るパチンコ機の主要な制御ブロック図である。
【図２８】実施例に係る演出装置で実施可能な動作演出パターンを示す説明図である。
【図２９】実施例に係る演出装置で実施可能な動作演出パターンと信頼度との関係、および動作演出パターン振分け抽選テーブルを示す説明図である。
【図３０】動作演出パターンと表示演出パターンとの関係を示す説明図である。
【図３１】実施例に係る遊技盤を、第１可動体が中途位置にあると共に第２可動体が第２移動位置にあり、第３可動体および第４可動体が夫々初期位置にある状態で示す概略正面図である。
【図３２】実施例に係る遊技盤を、第１可動体が第１移動位置にあると共に第２可動体が第２移動位置にあり、第３可動体および第４可動体が夫々初期位置にある状態で示す概略正面図である。
【図３３】実施例に係る遊技盤を、第１可動体が中途位置にあると共に第２可動体が第２移動位置にあり、第３可動体が中途位置にあると共に第４可動体が第４移動位置にある状態で示す概略正面図である。
【図３４】実施例に係る遊技盤を、第１可動体が第１移動位置にあると共に第２可動体が第２移動位置にあり、第３可動体が第３移動位置にあると共に第４可動体が第４移動位置にある状態で示す概略正面図である。
【図３５】実施例に係る遊技盤を、第１可動体が第１移動位置にあると共に第２可動体が第２移動位置にあり、第３および４可動体が夫々初期位置にあり、第５可動体が演出位置にある状態で示す概略正面図である。
【図３６】実施例に係る遊技盤を、第１可動体が第１移動位置にあると共に第２可動体が第２移動位置にあり、第３可動体が第３移動位置にあると共に第４可動体が第４移動位置にあり、第５および第６可動体が夫々演出位置にある状態で示す概略正面図である。
【発明を実施するための形態】
【００１３】
次に、本発明に係る遊技機につき、好適な実施例を挙げて、添付図面を参照しながら以下詳細に説明する。なお、遊技機としては、一般的なパチンコ機１０を例にして説明する。また、以下の説明において、「前」、「後」、「左」、「右」とは、特に断りのない限り、図１に示すようにパチンコ機１０を前側(遊技者側)から見た状態で指称する。
【実施例】
【００１４】
(パチンコ機)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤２１を着脱可能に保持する本体枠としての中枠１２が開閉および着脱可能に組み付けられて、該遊技盤２１の裏側に、各種図柄を変動表示可能な図柄表示装置１８が着脱可能に配設されている。また、中枠１２の前面側には、遊技盤２１を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球皿１５が開閉可能に組み付けられる。なお、実施例では、前枠１３の下部位置に、パチンコ球を貯留する上球皿１４が一体的に組み付けられており、前枠１３の開閉に合わせて上球皿１４も一体的に開閉するよう構成される。なお、上球皿１４は、前枠１３と別体に形成してもよい。また、球皿については、上下２枚の球皿１４,１５を備えるものに限らず、１枚の球皿のみを設ける構成であってもよい。実施例では、図柄表示装置１８として、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。なお、図柄表示装置は、演出用の図柄(所謂飾図)のみを変動表示するものではなく、キャラクタ図柄、背景図柄、予告図柄等、その他の各種図柄も変動表示可能に構成されている。
【００１５】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、上球皿１４に貯留されたパチンコ球が遊技盤２１に向けて発射されるようになっている。
【００１６】
(外枠)
前記外枠１１は、上下左右の４つの枠部材を相互に組み付けることで縦長の矩形枠体として構成されるものであって、４つの枠部材で画成される開口領域に対し、中枠１２が開閉および着脱自在に支持されて、外枠１１に対して中枠１２を閉成することで、該外枠１１の内側に該中枠１２が収容されるよう構成される。
【００１７】
(中枠)
図２に示すように、前記中枠１２は、上縁をなす上枠部材１２ａと、下縁をなし、打球発射装置１６を設置する設置部として機能する下枠部材１２ｂと、左縁(一方の側縁)をなす左枠部材１２ｃと、右縁(他方の側縁)をなす右枠部材１２ｄとから構成されて、これら上下左右の枠部材１２ａ,１２ｂ,１２ｃ,１２ｄを組み付けた際に、全体が外枠１１の開口領域に整合する大きさに形成される。そして、外枠１１に対して中枠１２の左枠部材１２ｃ側が、ヒンジ機構１９を介して回動自在に支持されて、右枠部材１２ｄが施錠装置(図示せず)により施錠されるようになっている。また、中枠１２には、上下左右の枠部材１２ａ,１２ｂ,１２ｃ,１２ｄを組み付けることで前後に開口する遊技盤保持部２０が画成され、該遊技盤保持部２０に遊技盤２１が着脱自在にセット保持される。図１、図２において、遊技盤２１の前面に配設されている各種の遊技部品は、後述する案内レール２２を除いて図示省略してある。また、図２においては、前枠１３に配設されている透視保護板１３ｂも図示省略している。
【００１８】
(遊技盤)
前記遊技盤２１は、図３および図５に示すように、中枠１２の遊技盤保持部２０に整合する略正方形に形成された所定板厚の木材板の表面に、各種絵柄等が描かれた合成樹脂シート(図示せず)等を貼付けて装飾した板部材であって、該遊技盤２１の表面(盤面)に配設された略円形状に湾曲形成する案内レール２２により、パチンコ球が流下可能な遊技領域２１ａが画成されている。また、遊技盤２１の裏側に、図柄表示装置１８が着脱自在に取り付けられる設置部材２３が配設されており、該設置部材２３に形成された前後に開口する開口部２３ａを介して図柄表示装置１８の表示部１８ａを前側から視認し得るよう構成される。遊技盤２１には、案内レール２２で囲まれた遊技領域２１ａの略中央の大部分が開口する装着口(図示せず)に、前後に開口する開口部２４ａが形成された枠状装飾部材２４が取り付けられ、該枠状装飾部材２４の開口部２４ａを介して図柄表示装置１８の表示部１８ａが遊技盤２１の前面側に臨むよう構成されている。なお、実施例では、遊技盤２１に配設された枠状装飾部材２４の開口部２４ａが、図柄表示装置１８の表示部１８ａを前側から視認可能とする可視部となる。また、枠状装飾部材２４の開口部２４ａの上方には、左右に延在すると共に下方へ延出した前面装飾板２４ｂが配設されている。
【００１９】
前記遊技盤２１には、図３に示す如く、枠状装飾部材２４の下方に、遊技領域２１ａを流下するパチンコ球が入賞可能な第１始動入賞口２５ａを備えた第１始動入賞装置２５および特別入賞装置２７が配設される。実施例のパチンコ機１０では、枠状装飾部材２４における特別入賞装置２７の上方に、遊技領域２１ａを流下するパチンコ球が入賞可能な第２始動入賞口２６ａを備えた第２始動入賞装置(始動入賞手段)２６が配設されている。
【００２０】
(始動入賞装置)
前記第１始動入賞装置２５は、第１始動入賞口２５ａを遊技領域２１ａ内で常に上方へ開口する常時開放タイプの入賞口とされている。これに対し、第２始動入賞装置２６は、第２始動入賞口２６ａを開閉可能に構成された開閉部材３１が設けられており、駆動手段としての始動入賞ソレノイド３２(図２７参照)の駆動に伴って開閉部材３１が第２始動入賞口２６ａを閉鎖する閉鎖位置と開放する開放位置に変位するよう構成されている。すなわち、実施例において第１始動入賞口２５ａは、遊技領域２１ａを流下するパチンコ球が常時一定の確率で入賞可能に構成され、第２始動入賞口２６ａは、始動入賞ソレノイド３２を駆動することでパチンコ球の入賞確率を可変し得るよう構成されている。ここで、開閉部材３１が閉鎖位置に変位した状態では、第２始動入賞口２６ａへのパチンコ球の入賞が阻止されて、第１始動入賞口２５ａへパチンコ球が入賞する確率よりも第２始動入賞口２６ａへパチンコ球が入賞する確率が低確率となるよう設定される一方、開閉部材３１が開放位置に変位した状態では、開閉部材３１で受止められたパチンコ球が第２始動入賞口２６ａに案内されて、第１始動入賞口２５ａへパチンコ球が入賞する確率よりも高確率となるよう設定されている。
【００２１】
前記第１始動入賞装置２５に、第１始動入賞口２５ａに入賞したパチンコ球を検出する始動入賞検出手段としての第１始動入賞検出センサ２５ｂ(図２７参照)が設けられると共に、第２始動入賞装置２６に、第２始動入賞口２６ａに入賞したパチンコ球を検出する始動入賞検出手段としての第２始動入賞検出センサ２６ｂ(図２７参照)が設けられている。両始動入賞検出センサ２５ｂ,２６ｂは、パチンコ機１０の裏側に配設されたメイン制御基板２００に電気的に接続されており、該始動入賞検出センサ２５ｂ,２６ｂによるパチンコ球の検出(すなわち第１および第２始動入賞口２５ａ,２６ａへのパチンコ球の入賞)を契機として所定数(例えば３個)の賞球が払い出されるようになっている。また、始動入賞検出センサ２５ｂ,２６ｂによるパチンコ球の検出に伴って各種情報(各種乱数情報)が取得され、この取得した情報に基づいて大当り抽選(大当り判定)が行われるよう構成されている。そして、大当り抽選の結果に基づいて図柄表示装置１８において図柄変動演出が実行され、該図柄変動演出の結果、図柄表示装置１８に所定の組み合わせ(例えば同一図柄の３つ揃い等)で図柄が停止表示されることで、遊技者に有利な大当り遊技(当り遊技)が付与され、大当り遊技の発生に伴って特別入賞装置２７を所定の開放条件で開放する大当り遊技が行われて、遊技者が賞球を獲得し得る機会が与えられるよう構成されている。
【００２２】
(特別入賞装置)
前記特別入賞装置２７は、図３に示すように、遊技領域２１ａに開口する特別入賞口(図示せず)を開閉自在に閉成する開閉扉２７ａを備えており、駆動手段としての特別入賞ソレノイド３４(図２７参照)の駆動に伴って開閉扉２７ａが閉鎖する閉鎖位置と開放する開放位置に変位するよう構成されている。なお、実施例では、開閉扉２７ａが前後方向へ進退移動することで特別入賞口を開閉するよう構成されており、該開閉扉２７ａにより特別入賞口が閉鎖された状態を図３に示す。また、特別入賞装置２７には、特別入賞口に入賞したパチンコ球を検出する特別入賞検出手段としての特別入賞検出センサ２７ｂ(図２７参照)が設けられている。特別入賞検出センサ２７ｂは、メイン制御基板２００に電気的に接続されており、該特別入賞検出センサ２７ｂからメイン制御基板２００への球検出信号の入力に伴って所定数(例えば１５個)の賞球が払い出されるようになっている。ここで、特別入賞ソレノイド３４は、前記始動入賞口２５ａ,２６ａへのパチンコ球の入賞を契機として特別入賞装置２７を開放する大当り遊技が付与される場合に、当りの種類(図柄の種類)に応じた所定の開閉条件に従ってメイン制御基板１２３によって駆動制御される。
【００２３】
(球通過ゲート)
図３に示すように、前記枠状装飾部材２４の右側には、遊技領域２１ａを流下するパチンコ球が通過可能な球通過ゲート３５が設けられている。前記球通過ゲート３５には通過球検出センサ３５ａ(図１６参照)が配設されており、該球通過ゲート３５を通過するパチンコ球を通過球検出センサ３５ａで検出するよう構成されている。通過球検出センサ３５ａは、メイン制御基板２００に配線接続されており、該通過球検出センサ３５ａからメイン制御基板２００への球検出信号の入力(すなわちパチンコ球の検出)に伴って普図当り抽選が行われ、該普図当り抽選の結果に応じて第２始動入賞装置２６の始動入賞ソレノイド３２が駆動制御されて開閉部材３１が開閉動作するようになっている。
【００２４】
(設置部材)
前記設置部材２３は、図４〜図６に示す如く、遊技盤２１の外郭形状より僅かに小さい形状に形成された略矩形状の設置壁部２９と、該設置壁部２９の外周縁部から前方に突出する外周壁部３０とから前方に開口した箱状に形成されて、該外周壁部３０の開口前端部を遊技盤２１の裏面に当接させた状態で、当該遊技盤２１と設置部材２３とがネジ止め固定される。そして、設置部材２３において遊技盤２１との間に画成される空間に、複数(実施例では３基)の演出装置Ｍ１,Ｍ２,Ｍ３が設置されて、設置部材２３を基材とする１つのユニットとして扱い得るようになっている。設置部材２３の設置壁部２９の裏側には、図柄表示装置１８の設置領域Ｓが矩形状に画成されると共に、該設置領域Ｓ内における枠状装飾部材２４の開口部２４ａと前後に整列する位置に、略矩形状の開口部２３ａが前後に開口するよう開設される。そして、設置領域Ｓに臨む設置壁部２９の裏面に、図柄表示装置１８における表示部１８ａの外周前面を当接した状態で、該図柄表示装置１８が着脱自在に取り付けられて、前記開口部２３ａ,２４ａを介して図柄表示装置１８の表示部１８ａが遊技盤２１の前側に臨むようになっている。なお、以下の説明では、設置部材２３の設置壁部２９について、開口部２３ａに対する上下左右の各部位を、上板部２９ａ,下板部２９ｂ,左板部２９ｃ,右板部２９ｄと指称して区別する場合もある。
【００２５】
(第１演出装置)
次に、前記設置部材２３の設置壁部２９における開口部２３ａの上側前面(上板部２９ａの前面)に配設された実施例の第１演出装置Ｍ１について説明する。第１演出装置Ｍ１は、図７〜図１６に示すように、左右で対をなす複数(実施例では２基)の可動体ユニット(可動部)Ｕ１,Ｕ２を備えている。各可動体ユニットＵ１,Ｕ２は、各構成部材の形状および配置等が多少異なるが基本的な構成は同じであり、各々のユニットＵ１,Ｕ２には、複数(実施例では２つ)の可動体が移動自在に配設されている。各可動体ユニットＵ１,Ｕ２の可動体は、前後にずらして配設されて、後述する作動機構により、設置壁部２９の上板部２９ａの前面に沿って上下方向に異なる移動量で移動するよう構成されている。ここで、実施例では、左側の可動体ユニットＵ１を第１可動体ユニットＵ１と指称し、右側の可動体ユニットＵ２を第２可動体ユニットＵ２と指称するものとする。また、第１可動体ユニットＵ１の各可動体を第１可動体(可動体、移動量が最大の可動体)４０および第２可動体(可動体)４１と指称し、第２可動体ユニットＵ２の各可動体を第３可動体(可動体、移動量が最大の可動体)１４０および第４可動体(可動体)１４１と指称する。
【００２６】
(第１可動体ユニットについて)
前記第１可動体ユニットＵ１は、図７〜図２６に示すように、設置部材２３の設置壁部２９における上板部２９ａの前側に固定される第１ベース体４２と、第１ベース体４２から前方へ離間した位置に配設された第２ベース体４３とを備えている。第１ベース体４２の前面には、第１可動体４０が第１初期位置(図８、図９参照)および第１移動位置(図１３〜図１７参照)の間で移動可能に配設されると共に、第２ベース体４３には、第２可動体４１が第２初期位置(図７〜図９参照)および第２移動位置(図１０〜図１２参照)の間で移動可能に配設されている。また、第１ベース体４２には、第１可動体４０を第１初期位置および第１移動位置の間で移動可能に支持する第１スライド手段４４が配設されると共に、該第１スライド手段４４を作動させる第１作動機構(作動機構)４５が配設されている。なお、第１可動体ユニットＵ１の第１ベース体４２は、前記第２可動体ユニットＵ２の後述する第３ベース体１４２と左右に連結されると共に、該第１可動体ユニットＵ１の第２ベース体４３は、第２可動体ユニットＵ２の後述する第４ベース体１４３と左右に連結されている。
【００２７】
(第１ベース体)
前記第１ベース体４２は、図１３、図１５、図１７、図１８、図２２および図２３に示すように、第１スライド手段４４が配設されるスライド手段配設部４８と、スライド手段配設部４８の左前方に位置し、第１作動機構４５が配設される作動機構配設部４９とを備えている。スライド手段配設部４８の前側には、上下方向へ延在する複数(実施例では２本)の第１ガイドバー５０,５０が、左右に離間すると共に該スライド手段配設部４８の前面から前方に離間した位置で支持されている。各第１ガイドバー５０,５０は、スライド手段配設部４８の後側に固定された第１支持部材５１において、スライド手段配設部４８の上縁から前方へ延出した上支持部５１ａに上端が固定されると共に、該スライド手段配設部４８の下縁から前方へ延出した下支持部５１ｂに下端が固定された状態で支持されている。また、スライド手段配設部４８の前面右側には、ギア部が左向きに設けられた第１ラックギア５２が、上下方向に延在した状態で配設されている。
【００２８】
(第１スライド手段)
前記第１スライド手段４４は、図１６、図１９、図２０、図２４および図２５に示すように、第１支持部材５１に支持された前記第１ガイドバー５０,５０に対して昇降移動可能に配設された第１スライド体５５と、該第１スライド体５５に対して昇降移動可能に配設された第２スライド体５６とを備える。第１スライド体５５は、上下方向が長手となる第１本体部５７と、該第１本体部５７の左側上部および右側上部の夫々に側方へ延出して設けられ、前記各第１ガイドバー５０,５０が各々上下に挿通する左右一対の第１摺動部５８,５８を備えている。そして第１スライド体５５は、各第１摺動部５８,５８が対応の第１ガイドバー５０,５０に沿って摺動することで、第１ベース体４２に対して昇降移動するよう構成されている。なお、各第１摺動部５８,５８が対応の第１ガイドバー５０,５０と接触していることで、第１スライド体５５は、下端側の前後方向の変位および左右方向の変位が規制された状態で安定的に支持される。
【００２９】
図１７、図１９、図２４および図２５に示すように、前記第１スライド体５５には、上下方向へ垂直に延在する複数(実施例では２本)の第２ガイドバー５９,５９が、左右に離間すると共に該第１スライド体５５の前面から前方に離間した位置で支持されている。各第２ガイドバー５９,５９は、第１スライド体５５の後側に固定された第２支持部材６０において、第１スライド体５５の上縁から前方へ延出した上支持部６０ａに上端が固定されると共に、該第１スライド体５５の下縁から前方へ延出した下支持部６０ｂに下端が固定された状態で支持されている。そして、第１スライド体５５の前面上部に、前方へ突出する第１連結ピン６１が配設されて、該第１連結ピン６１の前部には、第１ローラ６２が回転自在に配設されている(図１７、図１９、図２４参照)。この第１ローラ６２は、後述する第１作動機構４５におけるレバー体７５の揺動端に設けられた第１連結孔８１に係合されるようになっている(図１０、図１１、図２３参照)。
【００３０】
図２０および図２５に示すように、前記第２スライド体５６は、板状の第２本体６３と、該第２本体６３の後側上部に配設された第１スライド部材６４と、該第１スライド部材６４に設けられ、前記各第２ガイドバー５９,５９が上下に挿通する左右一対の第２摺動部６５,６５とを備えている。これにより、第２スライド体５６は、各第２摺動部６５,６５が対応の第２ガイドバー５９,５９に沿って摺動することで、第１スライド体５５に対して上下方向に昇降移動するようになっている。なお、各第２摺動部６５,６５が対応の第２ガイドバー５９,５９と接触していることで、第２スライド体５６は、下端側の前後方向の変位および左右方向の変位が規制されている。また、第２スライド体５６の後面には、ギア部が右向きに設けられた第２ラックギア６６が、上下に延在した状態で配設されている。
【００３１】
(倍速機構)
図１４、図１６、図１７、図１９および図２４に示すように、前記第１スライド体５５の後面には、該後面から後方へ延出する支軸に回転自在に支持され、前記第１ラックギア５２に常時噛合する第１ギア６７と、該第１スライド体５５に設けられた支持孔７２に前後方向へ挿通される支軸６９の後側延出部分に固定され、該第１ギア６７に常時噛合する第２ギア６８が配設されている。また、第１スライド体５５の前面には、前記支軸６９の前側延出部分に固定された第３ギア７０と、該第１スライド体５５の前面から前方へ延出する支軸に回転自在に支持され、第３ギア７０および前記第２ラックギア６６の各々に常時噛合する第４ギア７１とを備えている。ここで、第１ギア６７と第４ギア７１とは同径であり、第２ギア６８と第３ギア７０とが同径となっている。
【００３２】
これにより、第１ベース体４２に対する第１スライド体５５の昇降移動時には、第１ラックギア５２に噛合した第１ギア６７が回転すると共に第２ギア６８が回転し、支軸６９の回転に伴って第３ギア７０が回転すると共に第４ギア７１が回転することで、該第４ギア７１が噛合する第２ラックギア６６が配設された第２スライド体５６が、第１スライド体５５に対して昇降移動するようになる。従って、第１スライド体５５の下降移動時には、第１ベース体４２に対して下降移動する第１スライド体５５に対して第２スライド体５６が下降移動するようになり、第１ベース体４２を基準として見た場合に、第１スライド体５５の下降速度および下降移動量に対し、第２スライド体５６の下降速度および下降移動量が２倍となるよう構成されている。同様に、第１スライド体５５の上昇移動時には、第１ベース体４２に対して上昇移動する第１スライド体５５に対して第２スライド体５６が上昇移動するようになり、第１ベース体４２を基準として見た場合に、第１スライド体５５の上昇速度および上昇移動量に対し、第２スライド体５６の上昇速度および上昇移動量が２倍となるよう構成されている。
【００３３】
(第１作動機構)
前記第１作動機構４５は、図１０、図１１、図１３、図１７、図１８および図２３に示すように、可動体制御基板(作動制御手段)２０４(図２７参照)により制御される駆動手段としての第１駆動モータ７３と、左端が作動機構配設部４９に設けられた支点軸７４に枢支されると共に、第１スライド体５５の前方まで右方へ延在するレバー体７５と、作動機構配設部４９の前側に設けられて、レバー体７５の長手方向の中間の後方に位置し、第１駆動モータ７３の駆動により前後に延在する軸を中心に回転する回転連係部材７６とを備えている。第１駆動モータ７３は、第１ベース体４２の作動機構配設部４９の前側に、駆動軸７３ａを該第１ベース体４２の後側へ延出させた状態で固定されている。第１ベース体４２の後側へ延出した駆動軸７３ａには駆動ギア７７が配設され、前記回転連係部材７６の後側には従動ギア７８が設けられると共に、第１ベース体４２の後面には、駆動ギア７７と従動ギア７８とに夫々噛合する中間ギア７９が回転自在に配設されている(図１１、図２３参照)。これにより、第１駆動モータ７３の駆動により、駆動ギア７７、中間ギア７９および従動ギア７８が従動回転して、回転連係部材７６が回転するようになっている。
【００３４】
図１１、図１７および図１８に示すように、前記回転連係部材７６の前面には、該回転連係部材７６の回転中心から半径方向へ離間した位置に、前方へ延出した第２連結ピン８０が配設され、該第２連結ピン８０には、第２ローラ８３が回転自在に配設されている。この第２ローラ８３は、回転連係部材７６の回転に伴って第２連結ピン８０が円弧状に移動することで、上下方向へ変位するようになっている。
【００３５】
(レバー体)
図１１、図１３、図１７、図１８、図２２および図２３に示すように、前記レバー体７５における揺動端である右端近傍に、前後に貫通する第１連結孔８１が設けられ、該第１連結孔８１に、前記第１ローラ６２が移動可能に係合している。これにより、第１ローラ６２が配設された第１スライド体５５は、レバー体７５の揺動変位に連動して昇降変位する。また、第１連結孔８１は、上下幅が第１ローラ６２の直径より僅かに大きく、左右幅が該第１ローラ６２の直径の２〜３倍に形成されている。また、前記レバー体７５における長手方向の中間に、前後に貫通する第２連結孔８２が設けられ、前記第２ローラ８３が該第２連結孔８２に移動可能に係合している。第２連結孔８２は、上下幅が第２ローラ８３の直径より僅かに大きく、左右幅が該第２ローラ８３の直径の２〜３倍に形成されている。
【００３６】
従って、実施例の作動機構４５は、第１駆動モータ７３の駆動による回転連係部材７６の回転に伴い、円弧状に移動する第２連結ピン８０が上下方向へ移動することで、支点軸７４を中心としたレバー体７５の揺動変位が生起される。これにより、レバー体７５は、右上がりに傾斜した第１姿勢(図７参照)と、右下がりに傾斜した第２姿勢(図１３参照)とに揺動する。そして、レバー体７５は、前記第１姿勢において、該レバー体７５に連係された第１スライド体５５を、第１ベース体４２の前側に位置する第１上昇位置(図７、図９参照)に保持し、前記第２姿勢において、該第１ベース体４２の前面に沿って下方へ延出した第１下降位置(図１３、図１４、図１６参照)に保持するようになっている。また、第１スライド体５５に支持された前記第２スライド体５６は、第１スライド体５５の第１上昇位置において、該第１スライド体５５に前後に重なった第２上昇位置(図７、図９参照)に保持され、該第１スライド体５５の第１下降位置において、該第１スライド体５５から下方へ延出した第２下降位置(図１３、図１４、図１６参照)に保持されるようになっている。
【００３７】
(トーションバネ)
図１７、図１８、図２２および図２３に示すように、前記レバー体７５の左端に、付勢手段としてのトーションバネ８４が配設されている。このトーションバネ８４は、一方のアーム部が第１ベース体４２に掛止されると共に他方のアーム部がレバー体７５に掛止されて、レバー体７５を、該レバー体７５の右端(揺動端)が上方へ移動する方向へ付勢するようになっている。実施例の構成では、レバー体７５の右端に、第１スライド手段４４の第１スライド体５５が連結されていることで、該レバー体７５の右端に、第１スライド体５５および第２スライド体５６の重量と、第１可動体４０および第２可動体４１の重量が加わるようになっている。従って、第１駆動モータ７３の駆動によりレバー体７５を第２姿勢から第１姿勢へ揺動させる際に、該第１駆動モータ７３にかかる負荷を軽減するよう構成されている。
【００３８】
(位置検知センサ)
前記作動機構配設部４９に位置検知センサ８５が配設され、レバー体７５の第１姿勢を該位置検知センサ８５で検知し得るよう構成されている。すなわち、レバー体７５の左端には、該レバー体７５が第１姿勢以外の姿勢となった場合に該位置検知センサ８５で検知される被検知片８６が設けられている。これにより、第１駆動モータ７３の駆動によりレバー体７５が第２姿勢から第１姿勢に揺動変位させる際に、該レバー体７５が第１姿勢となったタイミングで該第１駆動モータ７３を停止制御することが可能となっている。
【００３９】
(第１可動体)
前記第１可動体４０は、図１７、図２０および図２５に示すように、第２スライド体５６における第２本体６３の前面に固定されている。第１可動体４０は、第２本体６３にネジ固定される第１ベース部材９０と、該第１ベース部材９０の前側に配設される第１装飾部材９１と、第１ベース部材９０と第１装飾部材９１との間に収容された第１発光基板９２と、第１装飾部材９１と第１発光基板９２との間に配設されたレンズ部材９９とを備えている。第１ベース部材９０は、外縁に前方へ延出した第１庇部９０ａを備え、第１発光基板９２を保護し得るようになっている。
【００４０】
第１装飾部材９１は、所要の意匠形状に形成されて正面視において視認可能部位である第１前板部９４と、該第１前板部９４の右側縁、下側縁および左側縁の一部から後方へ延出する第１外枠部９５とを備えている。そして、第１前板部９４の右側縁は、第１可動体４０の移動方向である上下方向に沿う直線状に形成されている。実施例の第１装飾部材９１は、透光性を有する合成樹脂から一体に形成され、第１前板部９４には、発光部として機能する透光部分と、メッキ処理または塗装処理が施された非透光部分とが設けられている。すなわち、第１前板部９４には、右側縁に沿って該第１前板部９４の上縁から下縁に亘って延在する透光部分と、該第１前板部９４の中央下方に略円形の透光部分とが設けられ、前者の透光部分が第１ライン発光部(発光部)９６となると共に、後者の透光部分が第１演出発光部９７となっている。第１ライン発光部９６は、前方へ突出すると共に上下方向に延在しており、該第１ライン発光部９６の前面には、左右方向に延在する微細な突状部９８が、上下方向に並んで多数設けられている。これにより、後方から第１ライン発光部９６に対して光が照射された際に、透過した該光により該第１ライン発光部９６が直線状に明輝し、第１装飾部材９１の右縁に、上下方向へ延在するライン状の発光部分を形成されるようになっている。なお、第１ライン発光部９６の背面およびレンズ部材９９は複雑な凹凸模様に形成され、後方から入射する光を拡散させ得るようになっている。
【００４１】
(第１発光基板)
第１発光基板９２は、図２０に示すように、第１ライン発光部９６を背面から照明する複数(実施例では３個)の第１ライン用ＬＥＤ(発光体)１００と、第１演出発光部９７を背面から照明する複数(実施例では５個)の第１演出用ＬＥＤ１０１とが、前側となる表面９２ａに実装されている。ここで、第１ライン発光部９６を背面から照明する第１ライン用ＬＥＤ１００は、第１発光基板９２の前面右側において、第１可動体４０の移動方向である上下方向へ所要間隔毎に直列に配置されており、該第１ライン発光部９６の後側において、上下方向に直列に位置する(図１５参照)。これにより、第１ライン用ＬＥＤ１００が全て発光した場合には、第１ライン発光部９６が上下に延在するライン状に照明されるようになっている。また、第１演出発光部９７を背面から照明する第１演出用ＬＥＤ１０１は、該第１演出発光部９７の後方において点在して配置されている。これにより、各第１演出用ＬＥＤ１０１が全て発光した場合には、第１演出発光部９７の全体が略均等に照明されるようになっている。
【００４２】
第１発光基板９２は、作動機構配設部４９に配設された中継基板８７を介して発光制御基板２０３(図２７参照)に接続されている。そして、発光制御基板２０３の制御により、各第１ライン用ＬＥＤ１００の各々が同時発光または個別発光するよう制御されると共に、各第１演出用ＬＥＤ１０１の各々が同時発光または個別発光するよう制御される。
【００４３】
(第２ベース体)
前記第２ベース体４３は、図１３、図１７、図２１および図２２に示すように、板状に形成された部材で、右端上部および下部に右方へ延出した突部４３ａ,４３ａが一体に設けられている。そして第２ベース体４３には、第１ベース体４２に前方へ延出するよう設けられた取付ボス１０３(図１７、図２２参照)と、該第１ベース体４２に固定される中継基板ケース８８とにネジ固定される。これにより第２ベース体４３は、第１ベース体４２との間に、前記第１スライド手段４４および第１可動体４０が収容可能なスペースを確保した状態で、該第１ベース体４２と前後に重なって配設される(図７、図９、図１０、図１２、図１３、図１６参照)。そして、第２ベース体４３は、該第２ベース体４３の上の突部４３ａに固定されて左右に延在する第１連結部材１０４と、該第２ベース体４３の下の突部４３ａに固定されて左右に延在する第２連結部材１０５とにより、第２可動体ユニットＵ２における第４ベース体１４３と左右に連結されている。
【００４４】
図１３、図１４、図１７、図２１、図２２および図２６に示すように、前記第２ベース体４３には、前後に貫通すると共に上下方向へ延在するガイド溝１０６が、所要の長さで形成されている。ガイド溝１０６には、第２可動体４１の背面に配設された第３ローラ１１４(図９、図２２、図２６)が移動自在に係合している。また、ガイド溝１０６の右方に離間した位置には、第３ガイドバー１０８が、上端が第１連結部材１０４に固定されると共に下端が第２連結部材１０５に固定された状態で配設されている。この第３ガイドバー１０８は、第２可動体４１の背面に配設された第３摺動部１１６(図２１、図２６参照)に挿通されるようになっている。
【００４５】
(第２可動体)
前記第２可動体４１は、図１７、図２１、図２２および図２６に示すように、第２ベース体４３の前側に、上下方向への移動が自在に配設されている。第２可動体４１は、第２ベース体４３に上下移動自在に配設される第２ベース部材１１０と、該第２ベース部材１１０の前側に配設される第２装飾部材１１１と、第２ベース部材１１０と第２装飾部材１１１との間に収容された第２発光基板１１２とを備えている。第２ベース部材１１０は、第２発光基板１１２より大きく形成され、第２発光基板１１２を後側から保護するようになっている。
【００４６】
(ローラおよびスライド部材)
図２１〜図２３および図２６に示すように、第２ベース部材１１０の後面左上に、後方へ延出する支持軸１１３が配設され、該支持軸１１３に前記第３ローラ１１４が回転自在に配設されている。この第３ローラ１１４は、第２ベース体４３に設けられた前記ガイド溝１０６に係合して、該ガイド溝１０６に沿って回転しながら移動可能となっている。また、第３ローラ１１４の前端には、ガイド溝１０６の開口幅より大径に形成されたフランジ１１４ａが設けられると共に、該第３ローラ１１４の後側に該フランジ１１４ａと同径のワッシャ１１４ｂが設けられ(図９、図１６、図２１、図２６参照)、該フランジ１１４ａおよびワッシャ１１４ｂにより、第３ローラ１１４がガイド溝１０６から前方および後方へ脱抜することが規制されている。また、第２ベース部材１１０の後面右上に、上下方向へ貫通する第３摺動部１１６が形成された第２スライド部材１１５が配設されている。第３摺動部１１６には、前記第３ガイドバー１０８が上下に挿通され、第２ベース部材１１０に配設された第２スライド部材１１５は、第３ガイドバー１０８に沿って上下方向へ摺動自在に配設される。
【００４７】
第２装飾部材１１１は、所要の意匠形状に形成されて正面視において視認可能部位である第２前板部１１８と、該第２前板部１１８の右側縁、上側縁および左側縁の一部から後方へ延出する第２外枠部１１９とを備えている。実施例では、第２装飾部材１１１の第２前板部１１８に、右方を向いた虎の頭部がデザインされている。そして、第２前板部１１８の右側縁は、第２可動体４１の移動方向である上下方向に沿う直線状に形成されている。実施例の第２装飾部材１１１は、透光性を有する合成樹脂から一体に形成され、第２前板部１１８には、発光部として機能する透光部分と、メッキ処理または塗装処理が施された非透光部分とが設けられている。すなわち、第２前板部１１８には、右側縁に沿って該第２前板部１１８の上縁から下縁に亘って延在する透光部分と、虎の目、口および顎となる部分に位置する透光部分とが設けられ、前者の透光部分が第２ライン発光部(発光部)１２０となると共に、後者の透光部分が第２演出発光部１２１となっている。第２ライン発光部１２０は、前方へ突出すると共に上下方向に延在しており、該第２ライン発光部１２０の前面には、左右方向に延在する微細な突状部１２２が、上下方向に並んで多数設けられている。これにより、後方から第２ライン発光部１２０に対して光が照射された際に、透過した該光により該第２ライン発光部１２０が直線状に明輝し、第２装飾部材１１１の右縁に、上下方向に延在するライン状の発光部分を形成するようになっている。なお、第２ライン発光部１２０および第２演出発光部１２１の背面は複雑な凹凸模様に形成され、後方から照射した光を拡散させ得るようになっている。
【００４８】
(第２発光基板)
第２発光基板１１２は、図２１に示すように、第２ライン発光部１２０を背面から照明する複数(実施例では３個)の第２ライン用ＬＥＤ(発光体)１２４と、第２演出発光部１２１を背面から照明する複数(実施例では４個)の第２演出用ＬＥＤ１２５とが、前側となる表面１１２ａに実装されている。ここで、第２ライン発光部１２０を背面から照明する第２ライン用ＬＥＤ１２４は、第２発光基板１１２の前面右側において、第２可動体４１の移動方向である上下方向へ所要間隔毎に直列に配置されており、該第２ライン発光部１２０の後側において、上下方向に直列に位置する(図１５参照)。これにより、第２ライン用ＬＥＤ１２４が全て発光した場合には、第２ライン発光部１２０が上下に延在するライン状に照明されるようになっている。また、第２演出発光部１２１を背面から照明する第２演出用ＬＥＤ１２５は、該第２演出発光部１２１の後方において点在して配置されている。これにより、各第２演出用ＬＥＤ１２５が全て発光した場合には、第２演出発光部１２１の全体が略均等に照明されるようになっている。
【００４９】
第２発光基板１１２は、前記中継基板８７を介して発光制御基板２０３(図２７参照)に接続されている。そして、発光制御基板２０３の制御により、各第２ライン用ＬＥＤ１２４の各々が同時発光または個別発光するよう制御されると共に、各第２演出用ＬＥＤ１２５の各々が同時発光または個別発光するよう制御される。
【００５０】
(第１係合部)
図２６に示すように、前記第２ベース部材１１０の後面(実施例では、第２スライド部材１１５)に、後方へ延出したボス部１１７が形成されている。また、第３ローラ１１４を回転自在に支持する前記支持軸１１３は、該第３ローラ１１４から後方へ突出する長さに設けられている(図９参照)。そして、第２ベース部材１１０から後方へ延出したボス部１１７および支持軸１１３は、図９に示すように、第１可動体４０の第１装飾部材９１の上端部に設けられた当接部９１ｂ,９１ｂに、上下方向において重なる位置に設けられている(図９は、支持軸１１３のみが表示されている)。すなわち、支持軸１１３およびボス部１１７は、第１可動体４０が上下方向に移動する際に、該第１可動体４０の各当接部９１ｂ,９１ｂに上方から係脱可能に当接するよう構成されている。具体的には、第１可動体４０が第１初期位置と中途位置(図１１、図１２)との間にある場合に、ボス部１１７および支持軸１１３が当接部９１ｂ,９１ｂに当接可能な状態となる。また、第２可動体４１が前記第２移動位置に停止すると共に、第１可動体４０が中途位置より下方へ移動する場合に、支持軸１１３およびボス部１１７から当接部９１ｂ,９１ｂが下方へ離間して、該支持軸１１３およびボス部１１７と当接部９１ｂ,９１ｂとの当接が解除されるよう構成されている。すなわち、支持軸１１３およびボス部１１７は、第１可動体４０に係脱可能に当接する係合部として機能するようになっている。
【００５１】
(第１可動体と第２可動体との関係について)
実施例では、図９および図１６に示すように、前記第１スライド手段４４における第２スライド体５６の前記第２上昇位置および第２下降位置の間のスライド移動距離Ｌ１が、前記ガイド溝１０６および第３ガイドバー１０８の上下長Ｌ２より大きく設定されている。従って、第２スライド体５６に固定された第１可動体４０の第１初期位置および第１移動位置の間の上下移動量は、該第２スライド体５６のスライド移動距離Ｌ１と同じである。また、ガイド溝１０６および第３ガイドバー１０８を介して第２ベース体４３に配設された第２可動体４１における第２初期位置および第２移動位置の間の上下移動量は、ガイド溝１０６および第３ガイドバー１０８の上下長Ｌ２以下となっている。従って、第１可動体４０の上下移動量が、第２可動体４１の上下移動量より大きく設定されている。
【００５２】
第１可動体４０は、図７〜図９に示すように、前記レバー体７５の第１姿勢(第１スライド体５５の第１上昇位置および第２スライド体５６の第２上昇位置)において、第１ベース体４２および第２ベース体４３の間に画成されたスペースに収容され、この位置が当該第１可動体４０の第１初期位置となる。また、第２可動体４１は、前記ボス部１１７および支持軸１１３が、第１可動体４０の第１装飾部材９１に設けられた当接部９１ｂ,９１ｂに上方から当接することで、自重による下方への移動が規制されて該第１可動体４０に掛止された状態に保持される。すなわち、第１初期位置にある第１可動体４０に掛止された位置が、第２可動体４１の第２初期位置となる。第１初期位置の第１可動体４０は、第２初期位置の第２可動体４１の後方において該第２可動体４１と前後に重なった状態となり、正面視で該第２可動体４１の後方に隠れた状態となるよう構成されている(図７、図８参照)。そして、第１可動体４０の第１ライン発光部９６および第１演出発光部９７は、第２可動体４１の後に位置して正面視において視認されないようになっている。
【００５３】
そして、第１可動体４０は、第１駆動モータ７３の駆動により第１レバー体７５が第１姿勢から第２姿勢に向けて姿勢変位し、第１スライド手段４４の第１スライド体５５および第２スライド体５６が下方へ移動することで、第１初期位置から下方へ移動するようになっている。また、第２可動体４１は、前記ボス部１１７および支持軸１１３が第１可動体４０の当接部９１ｂ,９１ｂに当接した状態で、第１可動体４０が下方へ移動することに伴い、自重により下方へ移動するようになっている。そして、第２可動体４１は、図１２に示すように、第１可動体４０の下方への移動に伴い、第３ローラ１１４がガイド溝１０６の下端１０６ａに上方から当接すると共に、第２スライド部材１１５が第２連結部材１０５に上方から当接すると、下方への移動が規制されて停止する。この下方移動が規制された位置(図１１、図１２参照)が、第２可動体４１の第２移動位置となる。また、第２可動体４１が第２移動位置となった時点での第１可動体４０の位置(図１１および図１２参照)が、該第１可動体４０の中途位置に設定されている。中途位置の第１可動体４０は、第２移動位置に停止した第２可動体４１と前後に重なって正面視で該第２可動体４１の後方に隠れた状態となり、第１ライン発光部９６および第１演出発光部９７は正面視において視認されない。なお、前記第１駆動モータ７３は、可動体制御基板２０４(図２７参照)により、第１可動体４０が中途位置において停止し得るようになっている。
【００５４】
更に、第１可動体４０は、第２可動体４１が第２移動位置に停止し、上下に当接した支持軸１１３およびボス部１１７と各当接部９１ｂ,９１ｂとが離間することで、前記レバー体７５が第２姿勢(第１スライド体５５の第１下降位置および第２スライド体５６の第２下降位置)になるまで下方へ移動するようになっている(図１３〜図１６)。そして、レバー体７５が第２姿勢となった位置(第２スライド体５６が第２下降位置となった位置)が、第１可動体４０の第１移動位置となる。ここで、第１移動位置の第１可動体４０は、第１ベース体４２および第２ベース体４３より下方に位置し、第２移動位置の第２可動体４１に対して移動方向である上下方向において下方に位置し、かつ後方にずれて位置している。従って、第１可動体４０の第１移動位置では、該第１可動体４０に設けられた第１ライン発光部９６および第１演出発光部９７が正面視において視認可能となっている。なお、図９、図１２および図１６は、第１可動体ユニットＵ１と基本構成が同じ第２可動体ユニットＵ２を破断した断面図である。
【００５５】
すなわち、第１演出装置Ｍ１の第１可動体ユニットＵ１は、第２可動体４１より移動量が大きい第１可動体４０が、第１駆動モータ７３の駆動により第１初期位置および第１移動位置の間を移動するよう構成されている。第１可動体４０より移動量が小さい第２可動体４１は、該第２可動体４１に設けられた支持軸１１３およびボス部１１７が第１可動体４０に設けられた当接部９１ｂ,９１ｂに上方から当接することで、第１可動体４０が第１初期位置にある場合に第２初期位置に保持される。また、第２可動体４１は、第１可動体４０が第１初期位置と中途位置との間を移動する際に、該第１可動体４０と前後に重なった状態で第２初期位置と第２移動位置との間を移動するようになっている。更に、第２可動体４１は、第１可動体４０が中途位置と第１移動位置との間を移動する際に、第２移動位置に保持されるよう構成されている。
【００５６】
(第１ライン発光部と第２ライン発光部との関係について)
第１可動体４０の第１装飾部材９１に設けられた第１ライン発光部９６と、第２可動体４１の第２装飾部材１１１に設けられた第２ライン発光部１２０とは、図１３、図１５、図３１、図３４、図３５および図３６に示すように、第１可動体４０および第２可動体４１の移動方向である上下方向に延在している。そして、第１ライン発光部９６および第２ライン発光部１２０は、第１可動体４０の第１移動位置および第２可動体４１の第２移動位置において、当該パチンコ機１０の正面から視認可能な部位に設けられている。また、実施例では、第２可動体４１が第２移動位置に停止した状態で第１可動体４０が第１移動位置までの間を昇降移動する(第１可動体４０と第２可動体４１とが移動方向である上下方向へ相対移動する)際に、第１ライン発光部９６と第２ライン発光部１２０とが、前後方向で重なる位置に設けられている。これにより、実施例の第１可動体ユニットＵ１は、第２可動体４１が第２移動位置に停止した状態で第１可動体４０が第１移動位置までの間を昇降移動する際に、第２ライン発光部１２０により形成されるライン状の発光部分と第１ライン発光部９６により形成されるライン状の発光部分とが、パチンコ機１０の正面からあたかも連なった状態で視認されるようになり、両発光部１２０,９６で形成される発光部分の正面視での長さが長短変化するよう構成されている。
【００５７】
(第２可動体ユニットについて)
前記第２可動体ユニットＵ２は、図７〜図２６に示すように、設置部材２３の設置壁部２９における上板部２９ａの前側に固定される第３ベース体１４２と、第３ベース体１４２から前方へ離間した位置に配設された第４ベース体１４３とを備えている。第３ベース体１４２の前面には、第３可動体１４０が第３初期位置(図８、図９参照)および第３移動位置(図１３〜図１７参照)の間で移動可能に配設されると共に、第４ベース体１４３には、第４可動体１４１が第４初期位置(図７〜図９参照)および第４移動位置(図１０〜図１２参照)の間で移動可能に配設されている。また、第３ベース体１４２には、第３可動体１４０を第３初期位置および第３移動位置の間で移動可能に支持する第２スライド手段１４４が配設されると共に、該第２スライド手段１４４を作動させる第２作動機構(作動機構)１４５が配設されている。
【００５８】
ここで、第２可動体ユニットＵ２は、前記第１可動体ユニットＵ１と左右対称の関係で基本的に構成されて、構成部材や部品は形状や配設位置が左右対称となっており、第２作動機構１４５の一部構成と、第３可動体１４０および第４可動体１４１の意匠形状が異なっている。従って、第２可動体ユニットＵ２については、第１可動体ユニットＵ１の構成部材と同一の部材や部位、同一機能を有する部材は同一の符号を付し、異なる部分についてのみ説明する。
【００５９】
(第２作動機構)
第２作動機構１４５は、図１０、図１１、図１３、図１４、図１７、図１８、図２２および図２３に示すように、可動体制御基板(作動制御手段)２０４(図２７参照)により制御される駆動手段としての第２駆動モータ１４８が、第３ベース体１４２の作動機構配設部４９の後側に、駆動軸７３ａを該第３ベース体１４２の前側へ延出させた状態で固定されている。第３ベース体１４２の前側へ延出した駆動軸１４８ａには駆動ギア７７が配設されると共に、第３ベース体１４２の前側に配設された回転連係部材７６の後側には従動ギア７８が設けられると共に、第３ベース体１４２の前面に、駆動ギア７７と従動ギア７８とに夫々噛合する中間ギア７９が回転自在に配設されている。これにより、第２駆動モータ１４８の駆動により、駆動ギア７７、中間ギア７９および従動ギア７８が従動回転して、回転連係部材７６が回転するようになっている。
【００６０】
(第３可動体)
前記第３可動体１４０は、図１７、図２１および図２６に示すように、第２スライド手段１４４の第２スライド体５６における第２本体６３の前面に固定されている。第３可動体１４０は、第２本体６３にネジ固定される第３ベース部材１５０と、該第３ベース部材１５０の前側に配設される第３装飾部材１５１と、第３ベース部材１５０と第３装飾部材１５１との間に収容された第３発光基板１５２と、第３装飾部材１５１と第３発光基板１５２との間に配設されたレンズ部材１５３とを備えている。第３ベース部材１５０は、外縁に前方へ延出した第１庇部１５０ａを備え、第３発光基板１５２を保護し得るようになっている。
【００６１】
第３装飾部材１５１は、所要の意匠形状に形成されて正面視において視認可能部位である第３前板部１５４と、該第３前板部１５４の左側縁、下側縁および左側縁の一部から後方へ延出する第３外枠部１５５とを備えている。そして、第３前板部１５４の左側縁は、第３可動体１４０の移動方向である上下方向に沿う直線状に形成されている。実施例の第３装飾部材１５１は、透光性を有する合成樹脂から一体に形成され、第３前板部１５４には、発光部として機能する透光部分と、メッキ処理または塗装処理が施された非透光部分とが設けられている。すなわち、第３前板部１５４には、左側縁に沿って該第３前板部１５４の上縁から下縁に亘って延在する透光部分と、該第３前板部１５４の中央下方に略円形の透光部分とが設けられ、前者の透光部分が第３ライン発光部(発光部)１５６となると共に、後者の透光部分が第３演出発光部１５７となっている。第３ライン発光部１５６は、前方へ突出すると共に上下方向に延在しており、該第３ライン発光部１５６の前面には、左右方向に延在する微細な突状部１５８が、上下方向に並んで多数設けられている。これにより、後方から第３ライン発光部１５６に対して光が照射された際に、透過した該光により該第３ライン発光部１５６が直線状に明輝し、第３装飾部材１５１の左縁に、上下方向へ延在するライン状の発光部分が形成されるようになっている。なお、第３ライン発光部１５６の背面およびレンズ部材１５３は複雑な凹凸模様に形成され、後方から照射した光を拡散させ得るようになっている。
【００６２】
(第３発光基板)
第３発光基板１５２は、図２０に示すように、第３ライン発光部１５６を背面から照明する複数(実施例では３個)の第３ライン用ＬＥＤ(発光体)１６０と、第３演出発光部１５７を背面から照明する複数(実施例では５個)の第３演出用ＬＥＤ１６１とが、前側となる表面１５２ａに実装されている。ここで、第３ライン発光部１５６を背面から照明する第３ライン用ＬＥＤ１６０は、第３発光基板１５２の前面左側において、第３可動体１４０の移動方向である上下方向へ所要間隔毎に直列に配置されており、該第３ライン発光部１５６の後側において、上下方向に直列に位置する(図１５参照)。これにより、第３ライン用ＬＥＤ１６０が全て発光した場合には、第３ライン発光部１５６が上下に延在するライン状に照明されるようになっている。また、第３演出発光部１５７を背面から照明する第３演出用ＬＥＤ１６１は、該第３演出発光部１５７の後方において点在して配置されている。これにより、各第３演出用ＬＥＤ１６１が全て発光した場合には、第３演出発光部１５７の全体が略均等に照明されるようになっている。
【００６３】
第３発光基板１５２は、第３ベース体１４２に配設された中継基板１４７を介して発光制御基板２０３(図２７参照)に接続されている。そして、発光制御基板２０３の制御により、各第３ライン用ＬＥＤ１６０の各々が同時発光または個別発光するよう制御されると共に、各第３演出用ＬＥＤ１６１の各々が同時発光または個別発光するよう制御される。
【００６４】
(第４可動体)
前記第４可動体１４１は、図１７、図２１、図２０および図２５に示すように、第４ベース部材１７０の前側に、上下方向への移動が自在に配設されている。第４可動体１４１は、第４ベース体１４３に上下移動自在に配設される第４ベース部材１７０と、該第４ベース部材１７０の前側に配設される第４装飾部材１７１と、第４ベース部材１７０と第４装飾部材１７１との間に収容された第４発光基板１７２とを備えている。第４ベース部材１７０は、第４発光基板１７２より大きく形成され、第４発光基板１７２を後側から保護し得るようになっている。
【００６５】
第４装飾部材１７１は、所要の意匠形状に形成されて正面視において視認可能部位である第４前板部１７４と、該第４前板部１７４の左側縁、上側縁および左側縁の一部から後方へ延出する第４外枠部１７５とを備えている。実施例では、第４装飾部材１７１の第４前板部１７４に、左方を向いた龍の頭部がデザインされている。そして、第４前板部１７４の左側縁は、第４可動体１４１の移動方向である上下方向に沿う直線状に形成されている。実施例の第４装飾部材１７１は、透光性を有する合成樹脂から一体に形成され、第４前板部１７４には、発光部として機能する透光部分と、メッキ処理または塗装処理が施された非透光部分とが設けられている。すなわち、第４前板部１７４には、右側縁に沿って該第４前板部１７４の上縁から下縁に亘って延在する透光部分と、龍の目、口および顎となる部分に位置する透光部分とが設けられ、前者の透光部分が第４ライン発光部(発光部)１７６の前面には、左右方向に延在する微細な突状部１７８が、上下方向に並んで多数設けられている。これにより、後方から第４ライン発光部１７６に対して光が照射された際に、透過した該光により該第４ライン発光部１７６が直線状に明輝し、第４装飾部材１７１の右縁に、上下方向へ延在するライン状の発光部分を形成されるようになっている。なお、第４ライン発光部１７６および第４演出発光部１７７の背面は複雑な凹凸模様に形成されて、後方から照射した光を拡散させ得るようになっている。
【００６６】
(第４発光基板)
第４発光基板１７２は、図２１に示すように、第４ライン発光部１７６を背面から照明する複数(実施例では３個)の第４ライン用ＬＥＤ(発光体)１８０と、第４演出発光部１７７を背面から照明する複数(実施例では５個)の第４演出用ＬＥＤ１８１とが、前側となる表面１７２ａに実装されている。ここで、第４ライン発光部１７６を背面から照明する第４ライン用ＬＥＤ１８０は、第４発光基板１７２の前面左側において、第４可動体１４１の移動方向である上下方向へ所要間隔毎に直列に位置しており、第４ライン発光部１７６の後側において、上下方向に直列に位置する(図１５参照)。これにより、第４ライン用ＬＥＤ１８０が全て発光した場合には、第４ライン発光部１７６が上下に延在するライン状に照明されるようになっている。また、第４演出発光部１７７を背面から照明する第４演出用ＬＥＤ１８１は、該第４演出発光部１７７の後方となるエリアに点在して配置されている。これにより、各第４演出用ＬＥＤ１８１が全て発光した場合には、第４演出発光部１７７の全体が略均等に照明されるようになっている。
【００６７】
第４発光基板１７２は、前記中継基板１４７を介して発光制御基板２０３(図２７参照)に接続されている。そして、発光制御基板２０３の制御により、各第４ライン用ＬＥＤ１８０の各々が同時発光または個別発光するよう制御されると共に、各第４演出用ＬＥＤ１８１の各々が同時発光または個別発光するよう制御される。
【００６８】
(第３可動体と第４可動体との関係について)
実施例では、図９および図１６に示すように、前記第２スライド手段１４４における第２スライド体５６の第２上昇位置および第２下降位置の間のスライド移動距離Ｌ１が、ガイド溝１０６および第３ガイドバー１０８の上下長Ｌ２より大きく設定されている。従って、第２スライド手段１４４の第２スライド体５６に固定された第３可動体１４０の第３初期位置および第３移動位置の間の上下移動量は、該第２スライド体５６のスライド移動距離Ｌ１と同じである。また、ガイド溝１０６および第３ガイドバー１０８を介して第４ベース体１４３に配設された第４可動体１４１における第４初期位置および第４移動位置の間の上下移動量は、ガイド溝１０６および第３ガイドバー１０８の上下長Ｌ２以下となっている。従って、第３可動体１４０の上下移動量が、第４可動体１４１の上下移動量より大きく設定されている。
【００６９】
第３可動体１４０は、図７〜図９に示すように、第２作動機構１４５におけるレバー体７５の第１姿勢(第１スライド体５５の第１上昇位置および第２スライド体５６の第２上昇位置)において、第３ベース体１４２および第４ベース体１４３の間に画成されたスペースに収容され、この位置が当該第３可動体１４０の第３初期位置となる。また、第４可動体１４１は、ボス部１１７および支持軸１１３が、第３可動体１４０の第３装飾部材１５１に設けられた当接部１５１ｂ,１５１ｂに上方から当接することで、自重による下方への移動が規制されて該第３可動体１４０に掛止された状態に保持される。すなわち、第３初期位置にある第３可動体１４０に掛止された位置が、第４可動体１４１の第４初期位置となる。第３初期位置の第３可動体１４０は、第４初期位置の第４可動体１４１の後方において該第４可動体１４１と前後に重なった状態となり、正面視で該第４可動体１４１の後方に隠れた状態となるよう構成されている(図７、図８参照)。そして、第３可動体１４０の第３ライン発光部１５６および第３演出発光部１５７は、第４可動体１４１の後に位置して正面視において視認されないようになっている。
【００７０】
そして、第３可動体１４０は、第２駆動モータ１４８の駆動により第１レバー体７５が第１姿勢から第２姿勢に向けて姿勢変位し、第２スライド手段１４４の第１スライド体５５および第２スライド体５６が下方へ移動することで、第３初期位置から下方へ移動するようになっている。また、第４可動体１４１は、ボス部１１７および支持軸１１３が第３可動体１４０の当接部１５１ｂ,１５１ｂに当接した状態で、第３可動体１４０が下方へ移動することに伴い、自重により下方へ移動するようになっている。そして、第４可動体１４１は、図１２に示すように、第３可動体１４０の下方への移動に伴い、第３ローラ１１４がガイド溝１０６の下端１０６ａに上方から当接すると共に、第２スライド部材１１５が第２連結部材１０５に上方から当接すると、下方への移動が規制されて停止する。この下方移動が規制された位置(図１１、図１２参照)が、第４可動体１４１の第４移動位置となる。また、第４可動体１４１が第４移動位置となった時点での第３可動体１４０の位置(図１１および図１２参照)が、該第３可動体１４０の中途位置に設定されている。中途位置の第３可動体１４０は、第４移動位置に停止した第４可動体１４１と前後に重なって正面視で該第４可動体１４１の後方に隠れた状態となり、第３ライン発光部１５６および第３演出発光部１５７は正面視において視認されない。なお、前記第２駆動モータ１４８は、可動体制御基板２０４(図２７参照)により、第３可動体１４０が中途位置において停止し得るようになっている。
【００７１】
更に、第３可動体１４０は、第４可動体１４１が第４移動位置に停止し、上下に当接した支持軸１１３およびボス部１１７と各当接部９１ｂ,９１ｂとが離間することで、前記レバー体７５が第２姿勢(第１スライド体５５の第１下降位置および第２スライド体５６の第２下降位置)になるまで下方へ移動するようになっている(図１３〜図１６)。そして、レバー体７５が第２姿勢となった位置(第２スライド体５６が第２下降位置となった位置)が、第３可動体１４０の第３移動位置となる。ここで、第３移動位置の第３可動体１４０は、第３ベース体１４２および第４ベース体１４３より下方に位置し、第４移動位置の第４可動体４１に対して、移動方向である上下方向において下方に位置し、かつ後方にずれて位置している。従って、第３可動体１４０の第３移動位置では、該第３可動体１４０に設けられた第３ライン発光部１５６および第３演出発光部１５７が正面視において視認可能となっている。
【００７２】
すなわち、第１演出装置Ｍ１の第２可動体ユニットＵ２は、第４可動体１４１より移動量が大きい第３可動体１４０が、第２駆動モータ１４８の駆動により第３初期位置および第３移動位置の間を移動するよう構成されている。第３可動体１４０より移動量が小さい第４可動体１４１は、該第４可動体１４１に設けられた支持軸１１３およびボス部１１７が第３可動体１４０に設けられた当接部１５１ｂ,１５１ｂに上方から当接することで、第３可動体１４０が第３初期位置にある場合に第４初期位置に保持される。また、第４可動体１４１は、第３可動体１４０が第３初期位置と中途位置との間を移動する際に、該第３可動体１４０と前後に重なった状態で第４初期位置と第４移動位置との間を移動するようになっている。更に、第４可動体１４１は、第３可動体１４０が中途位置と第３移動位置との間を移動する際に、第４移動位置に保持されるよう構成されている。
【００７３】
(第３ライン発光部と第４ライン発光部との関係について)
第３可動体１４０の第３装飾部材１５１に設けられた第３ライン発光部１５６と、第４可動体１４１の第４装飾部材１７１に設けられた第４ライン発光部１７６とは、図１３、図１５、図３１、図３４、図３５および図３６に示すように、第３可動体１４０および第４可動体１４１の移動方向である上下方向に延在している。そして、第３ライン発光部１５６および第４ライン発光部１７６は、第３可動体１４０第３移動位置および第４可動体１４１の第４移動位置において、当該パチンコ機１０の正面から視認可能な部位に設けられている。そして、第４可動体１４１が第４移動位置に停止した状態で第３可動体１４０が第３移動位置までの間を昇降移動する(第３可動体１４０と第４可動体１４１とが移動方向である上下方向へ相対移動する)際に、第３ライン発光部１５６と第４ライン発光部１７６とが、前後方向で重なる位置に設けられている。これにより、実施例の第２可動体ユニットＵ２は、第４可動体１４１が第４移動位置に停止した状態で第３可動体１４０が第３移動位置までの間を昇降移動する際に、第３ライン発光部１５６により形成されるライン状の発光部分と第４ライン発光部１７６で形成されるライン状の発光部分とが、パチンコ機１０の前側からはあたかも連なった状態で視認されるようになり、両発光部１５６,１７６で形成される発光部分の正面視での長さが長短変化するよう構成されている。
【００７４】
(第１可動体と第３可動体との関係、第２可動体と第４可動体との関係)
第１可動体ユニットＵ１の第１可動体４０と第２可動体ユニットＵ２の第３可動体１４０とは、図８および図９に示すように、各々の第１初期位置および第３初期位置において、左右に並んで位置する(図８では、第１可動体４０および第３可動体１４０が、第２可動体４１および第４可動体１４１の後に重なっているため、正面視において見えない)。また、第１可動体４０と第３可動体１４０とは、図１３および図１５に示すように、各々の第１移動位置および第３移動位置において左右に並んで位置し、第１可動体４０の右縁に設けられた第１ライン発光部９６と第３可動体１４０の左縁に設けられた第３ライン発光部１５６とは、左右方向および前後方向で整列するようになっている。一方、第１可動体ユニットＵ１の第２可動体４１と第２可動体ユニットＵ２の第４可動体１４１とは、図７および図８に示すように、各々の第２初期位置および第４初期位置において、左右に並んで位置し、第２可動体４１の右縁に設けられた第２ライン発光部１２０と第４可動体１４１の左縁に設けられた第４ライン発光部１７６とは、左右方向および前後方向で整列するようになっている。また、第２可動体４１と第４可動体１４１とは、図１０、図１１、図１３および図１５に示すように、各々の第２移動位置および第４移動位置において左右に並んで位置し、第２可動体４１の右縁に設けられた第２ライン発光部１２０と第４可動体１４１の左縁に設けられた第４ライン発光部１７６とは、左右方向および前後方向で整列するようになっている。
【００７５】
前述のように構成された第１演出装置Ｍ１は、第１可動体ユニットＵ１および第２可動体ユニットＵ２の各レバー体７５,７５が第１姿勢に保持された状態では、図７〜図９に示すように、第１可動体４０が第１初期位置に停止保持されると共に、支持軸１１３およびボス部１１７と当接部９１ｂ,９１ｂとが係合することで第２可動体４１が第２初期位置に停止保持され、第３可動体１４０が第３初期位置に停止保持されると共に、支持軸１１３およびボス部１１７と当接部１５１ｂ,１５１ｂとが係合することで第４可動体１４１が第４初期位置に停止保持される。第１可動体４０が第１初期位置に保持されると共に第２可動体４１が第２初期位置に保持された状態では、第１可動体４０と第２可動体４１とが前後方向に重なっており、第３可動体１４０が第３初期位置に保持されると共に第４可動体１４１が第４初期位置に保持された状態では、第３可動体１４０と第４可動体１４１とが前後方向に重なっている。そして、実施例では、図３および図５に示すように、第１〜第４可動体４０,４１,１４０,１４１が夫々第１〜第４初期位置にある場合は、各可動体４０,４１,１４０,１４１が枠状装飾部材２４の開口部２４ａの上方に配設された前記前面装飾板２４ｂの後方に位置して、正面視において該前面装飾部材２４ｂにより殆ど視認不能な状態となる。従って、第１〜第４ライン発光部９６,１２０,１５６,１７６および第１〜第４演出発光部９７,１２１,１５７,１７７は、正面視において視認されないようになっている。
【００７６】
そして、第１演出装置Ｍ１は、第１駆動モータ７３および第２駆動モータ１４８の駆動により、各レバー体７５,７５が第１姿勢から第２姿勢に向けて姿勢変位することで、第１可動体４０が第１初期位置から中途位置に向けて下方へ移動すると共に第２可動体４１が第２初期位置から第２移動位置に向けて下方へ移動し、第３可動体１４０が第３初期位置から中途位置に向けて下方へ移動すると共に第４可動体１４１が第４初期位置から第４移動位置に向けて下方へ移動する。すなわち、第１可動体４０が第１初期位置から中途位置に移動するまでは、第１可動体４０と第２可動体４１とが前後に重なった状態で移動して第２可動体４１だけが視認されるので、パチンコ機１０の前側からは第２可動体４１だけが視認され得る。また、第３可動体１４０が第３初期位置から中途位置に移動するまでは、第３可動体１４０と第４可動体１４１とが前後に重なった状態で移動して第４可動体１４１だけが視認されるので、パチンコ機１０の前側からは第２可動体４１および第４可動体１４１が視認され得る。従って、第２可動体４１および第４可動体１４１が前面装飾板２４ｂの下方へ移動するように視認され、第２ライン発光部１２０および第２演出発光部１２１と、第４ライン発光部１７６および第４演出発光部１７７が、徐々に視認されるようになる。
【００７７】
そして、第１可動体４０が中途位置に移動して、第３ローラ１１４が第１ガイド溝１０６の下端１０６ａに当接すると共に第２スライド部材１１５が第２連結部材１０５に当接すると(図１２参照)、支持軸１１３と当接部９１ｂとの係合が解除されると共にボス部１１７と当接部９１ｂとの当接が解除され、第１可動体４０が第１移動位置に向けて更に下方へ移動するようになる。これにより、第２移動位置に停止した第２可動体４１の後下方方に第１可動体４０が移動して、第１ライン発光部９６および第１演出発光部９７が視認されるようになる(図１５参照)。また、第３可動体１４０が中途位置に移動して、第３ローラ１１４が第１ガイド溝１０６の下端１０６ａに当接すると共に第２スライド部材１１５が第２連結部材１０５に当接すると(図１２参照)、支持軸１１３と当接部１５１ｂとの係合が解除されると共にボス部１１７と当接部１５１ｂとの当接が解除され、第３可動体１４０が第３移動位置に向けて更に下方へ移動するようになる。これにより、第４移動位置に停止した第４可動体４１の後下方に第３可動体１４０が移動して、第３ライン発光部１５６および第３演出発光部１５７が視認されるようになる。
【００７８】
(第２演出装置および第３演出装置)
第２演出装置Ｍ２は、図４および図３５に示す如く、設置部材２３の設置壁部２９における上板部２９ａの左隅部から下板部２９ｃの左隅部にかけて配設される。第２演出部材Ｍ２は、設置部材２３の開口部２３ａの開口高さと略同じ長さで上下に延在する第５可動体(第２の可動体)１８５と、該第５可動体１８５を左右にスライド移動させる第３駆動モータ１８６(図２７参照)とを備えている。そして、可動体制御基板(作動制御手段)２０４(図２７参照)により第３駆動モータ１８６の駆動を制御することで、第５可動体１８５が開口部２３ａの左方に退避した退避位置(図４参照)と、該開口部２３ａの前側へ移動した延出位置(図３５、図３６参照)との間を移動可能に構成されている。また、第５可動体１８５は、第５装飾部材１８７と、該第５装飾部材１８７の上下略中央において横方向に延在する横長の第５ライン発光部(第３の発光部)１８８と、該第５装飾部材１８７の背面側に配設されて前記発光制御基板２０３により制御され、第５ライン発光部１８８を背面側から照明するよう直線状に配設された複数の第５ライン用ＬＥＤ(図２７参照)１８９とを備えている。従って、第５ライン発光部１８８は、第５ライン用ＬＥＤ１８９により背面から照射されることで、左右方向へ延在するライン状に明輝されるようになっている。
【００７９】
第３演出装置Ｍ３は、図４、図６および図３６に示す如く、設置部材２３の設置壁部２９における上板部２９ａの右隅部から下板部２９ｃの右隅部にかけて配設される。第３演出部材Ｍ３は、設置部材２３の開口部２３ａの開口高さと略同じ長さで上下に延在する第６可動体(第２の可動体)１９０と、該第６可動体１９０を左右にスライド移動させる第４駆動モータ１９１(図２７参照)とを備えている。そして、可動体制御基板２０４(図２７参照)により第４駆動モータ１９１の駆動を制御することで、第６可動体１９０が開口部２３ａの右方に退避した退避位置(図４参照)と、該開口部２３ａの前側へ移動した延出位置(図３６参照)との間を移動可能に構成されている。また、第６可動体１９０は、第６装飾部材１９２と、該第６装飾部材１９２の上下略中央において横方向に延在する横長の第６ライン発光部(第３の発光部)１９３と、該第６装飾部材１９２の背面側に配設されて前記発光制御基板２０３により制御され、第６ライン発光部１９３を背面側から照明するよう直線状に配設された複数の第６ライン用ＬＥＤ(図２７参照)１９４とを備えている。従って、第６ライン発光部１９３は、第６ライン用ＬＥＤ１９４により背面から照射されることで、左右方向へ延在するライン状に明輝されるようになっている。
【００８０】
(照明装置)
実施例では、図３、図３１〜図３６に示すように、前記第１始動入賞装置２５に、照明装置１９６が配設されている。この照明装置１９６は、所要形状に形成された第７装飾部材１９７と、該第７装飾部材１９７に設けられた第７ライン発光部(第２の発光部)１９８と、該第７装飾部材１９７の背面に配設されて前記発光制御基板２０３により制御され、第７ライン発光部１９８を背面側から照明するよう直列状に配設された複数(実施例では６個)の第７ライン用ＬＥＤ１９９とを備えている。従って、第７ライン発光部１９８は、第７ライン用ＬＥＤ１９９により背面から照射されることで、上下方向へジグザグに延在するライン状に明輝されるようになっている(図３６参照)。
【００８１】
(パチンコ機１０の主要な制御構成について)
前記パチンコ機１０の主要な制御構成について説明する。実施例のパチンコ機１０には、パチンコ機１０を全体的に制御するメイン制御基板２００と、該メイン制御基板２００からの制御信号に基づいて各制御対象を制御するサブ制御基板２０１,２０２,２０３,２０４とが設けられている。すなわち、メイン制御基板２００では、パチンコ機１０に備えられた前記各種検出センサ２５ｂ,２６ｂ,３５ａからの検出信号に基づいて各種処理が実行され、その処理結果に応じた各種の制御信号(制御コマンド)がサブ制御基板２０１,２０２,２０３,２０４に出力されるようになっている。
【００８２】
実施例のパチンコ機１０には、前記サブ制御基板として、遊技演出を全体的に制御する統括制御基板２０１と、図柄表示装置１８での表示内容を制御する表示制御基板２０２と、パチンコ機１０が備える前記第１〜第７ライン用ＬＥＤ１００,１２４,１６０,１８０,および第１〜第４演出用ＬＥＤ１０１,１２５,１６１,１８１の発光制御を行なう発光制御基板２０３と、パチンコ機１０が備える前記第１〜第３演出装置Ｍ１,Ｍ２,Ｍ３の可動体制御を行なう可動体制御基板２０４とを備えている(図２７参照)。すなわち、メイン制御基板２００が出力した制御信号(制御コマンド)に基づいて、前記統括制御基板２０１が表示制御基板２０２、発光制御基板２０３および可動体制御基板２０４を制御するよう構成されており、パチンコ機１０で実行される各種遊技演出(図柄変動演出、発光演出、可動体演出)を統括的にコントロールし得るようになっている。ここで、表示制御基板２０２は、統括制御基板２０１から出力された制御信号(制御コマンド)に基づいて、図柄表示装置１８に表示される図柄や背景画像等の図柄変動演出の表示内容を制御するよう構成される。また、発光制御基板２０３は、統括制御基板２０１から出力された制御信号(制御コマンド)に基づいて、パチンコ機１０が備える第１〜第７ライン用ＬＥＤ１００,１２４,１６０,１８０,および第１〜第４演出用ＬＥＤ１０１,１２５,１６１,１８１の発光のタイミング等を制御し、可動体制御基板２０４は、統括制御基板２０１から出力された制御信号(制御コマンド)に基づき、パチンコ機１０が備える第１演出装置Ｍ１の第１〜第４可動体４０,４１,１４０,１４１、第２演出装置Ｍ２の第５可動体１８５、第３演出装置Ｍ３の第６可動体１９０の動作態様等を制御するよう構成される。
【００８３】
(メイン制御基板２００について)
前記メイン制御基板２００は、制御動作を所定の手順で実行することができるメイン制御ＣＰＵ(メイン制御手段、制御手段)２００ａ、メイン制御ＣＰＵ２００ａの制御プログラムを格納するメイン制御ＲＯＭ２００ｂおよび必要なデータの書き込みおよび読み出しができるメイン制御ＲＡＭ２００ｃを備えている。
【００８４】
前記メイン制御基板２００は、大当り判定用乱数、図柄決定用乱数、変動パターン振分用乱数、普図当り判定用乱数等の各種乱数の値を所定の周期毎に更新し、更新後の値をメイン制御ＲＡＭ２００ｃの設定領域に記憶(設定)することで更新前の値を書き換えており、乱数更新処理(乱数生成処理)を実行するようになっている。例えば、メイン制御基板２００では、前記第１および第２始動入賞検出センサ２５ｂ,２６ｂから検出信号が入力されると、メイン制御ＣＰＵ２００ａがメイン制御ＲＯＭ２００ｂから大当り判定用乱数を取得し、この大当り判定用乱数とメイン制御ＲＯＭ２００ｂに記憶されている大当り判定値とを比較し、大当りとするか否かの大当り判定(当り抽選)を行なう。またメイン制御基板２００では、前記大当り判定の結果が肯定の場合には、大当りの結果を導出するリーチ演出等の大当り導出演出のみが含まれる変動パターンテーブルから大当り導出演出用の変動パターンを決定する。これに対して、前記大当り判定の結果が否定の場合には、はずれ演出のみが含まれる変動パターンテーブルからはずれ演出用の変動パターンを決定する。大当り導出演出用およびはずれ演出用の変動パターンの決定は、前記大当り判定と同様に、メイン制御ＣＰＵ２００ａがメイン制御ＲＯＭ２００ｂから取得した乱数により行なう。なお、変動パターンテーブルから決定される大当り導出演出およびはずれ演出の変動パターンは、少なくとも大当り判定の時間(図柄変動時間)および演出内容を特定するものである。そして、パチンコ機１０では、メイン制御基板２００の大当り判定の結果に応じて出力された統括制御基板２０１の制御信号に基づいて、表示制御基板２０２が図柄表示装置１８に所定の演出表示を行なわせると共に、メイン制御基板２００の制御により出力された球払出しに係る制御信号に基づいて、図示しない球払出し装置によって所定数の賞球が払い出される。また、パチンコ機１０では、統括制御基板２０１の制御信号に基づいて、第１演出装置Ｍ１の第１〜第４可動体４０,４１,１４０,１４１、第２演出装置Ｍ２の第５可動体１８５および第３演出装置Ｍ３の第６可動体１９０を作動させたり、第１〜第７ライン用ＬＥＤ１００,１２４,１６０,１８０,および第１〜第４演出用ＬＥＤ１０１,１２５,１６１,１８１を発光させるよう構成される。
【００８５】
また、メイン制御基板２００では、前記通過球検出センサ３５ａから検出信号が入力されると、メイン制御ＣＰＵ２００ａがメイン制御ＲＯＭ２００ｂから普図当り判定用乱数を取得し、この普図当り判定用乱数とメイン制御ＲＯＭ２００ｂに記憶されている普図当り判定値とを比較し、普図当りとするか否かの普図当り判定(普図当り抽選)を行なう。そして、普図当り判定が肯定の場合は、前記開閉部材３１を所定の開閉パターンで開閉するように前記始動入賞ソレノイド３２を制御する。なお、開閉部材３１の開閉パターンについては、普図当り判定を行なう時点での遊技状態、すなわち変短状態(後述)が付与されているか否かによって異なるようになっている。
【００８６】
ここで、大当り判定が肯定で実行される大当り遊技は、前記特別入賞装置２７を所定の開放条件で開放することで遊技者に多くの賞球を獲得し得る機会が与えられるものであって、この大当り遊技は遊技者にとって特典となるものである。すなわち、実施例では、始動入賞手段への入賞を契機として遊技者に特典を付与するか否かを判定する特典判定手段としての機能をメイン制御ＣＰＵ２００ａが備える。
【００８７】
(統括制御基板２０１について)
前記統括制御基板２０１には、統括制御ＣＰＵ２０１ａが備えられている。該統括制御ＣＰＵ２０１ａには、統括制御ＲＯＭ２００ｂおよび統括制御ＲＡＭ２００ｃが接続されている。また、統括制御ＣＰＵ２０１ａは、実行可否判定用乱数や動作演出パターン判定用乱数等の各種乱数の値を所定の周期毎に更新し、更新後の値を統括制御ＲＡＭ２００ｃの設定領域に記憶(設定)して更新前の値を書き換えている。更に、統括制御ＲＯＭ２００ｂには、表示制御基板２０２、発光制御基板２０３および可動体制御基板２０４を統括的に制御するための統括制御プログラムが記憶されている。統括制御ＣＰＵ２０１ａは、各種制御コマンドを入力すると、当該統括制御プログラムに基づき各種制御を実行する。例えば、統括制御基板２０１では、前記メイン制御ＣＰＵ２００ａから変動パターン指定コマンドが入力されると、統括制御ＣＰＵ２０１ａが統括制御ＲＯＭ２００ｂから実行可否判定用乱数を取得し、この実行可否判定用乱数と統括制御ＲＯＭ２００ｂに記憶されている実行可否判定値とを比較し、可動体演出を実行するか否かの実行可否判定を行なう。また、統括制御基板２０１では、前記実行可否判定の結果が肯定の場合には、後述するように第１〜第３演出装置Ｍ１〜Ｍ３で実行する１つの動作演出パターンを決定し、該動作演出パターンに対応する表示演出パターンの表示演出コマンドを表示制御基板２０２に出力すると共に、該動作演出パターンに対応する発光演出パターンの発光演出コマンドを発光制御基板２０３に出力する。
【００８８】
(表示制御基板２０２について)
前記表示制御基板２０２には、表示制御ＣＰＵ(表示制御手段)２０２ａが備えられている。該表示制御ＣＰＵ２０２ａには、表示制御ＲＯＭ２０２ｂおよび表示制御ＲＡＭ２０２ｃが接続されている。また、表示制御基板２０２(表示制御ＣＰＵ２０２ａ)には、図柄表示装置１８が接続されている。表示制御ＲＯＭ２０２ｂには、図柄表示装置１８の表示内容を制御するための表示制御プログラムが記憶されている。また、表示制御ＲＯＭ２０２ｂには、各種の画像データ(図柄、各種背景画像、文字、キャラクタなどの画像データ)が記憶されている。更に、表示制御ＲＡＭ２０２ｃには、パチンコ機１０の動作中に適宜書き換えられる各種の情報が記憶(設定)されるようになっている。
【００８９】
(発光制御基板２０３および可動体制御基板２０４について)
前記発光制御基板(ランプ制御手段)２０３には、前記第１〜第７ライン用ＬＥＤ１００,１２４,１６０,１８０,１８９,１９４,１９９および第１〜第４演出用ＬＥＤ１０１,１２５,１６１,１８１が、前記中継基板８７,１４７等を介して接続されている。また、可動体制御基板(可動体制御手段)２０４には、前記第１〜第４駆動モータ７３,１４８,１８６,１９１が接続されている。
【００９０】
(特典遊技状態について)
実施例のパチンコ機１０は、大当り遊技終了後に遊技者に有利な遊技状態(特典)として第１特典遊技状態を付与する機能を備えている。ここで、第１特典遊技状態としては、前記特別入賞口へのパチンコ球の入賞契機が、当該第１特典遊技状態が付与されていない状態に較べて増加する状態である。具体的には、第１特典遊技状態では、大当り確率を低確率から高確率に変動することにより特別入賞口へのパチンコ球の入賞契機を増加することができる。以下の説明では、第１特典遊技状態を、便宜的に「確変状態」というものとする。
【００９１】
本実施例の確変機能は、前記図柄表示装置１８に確定停止表示された大当り図柄の種類が予め定めた確変図柄であることを条件として、大当り遊技の終了後に大当りの抽選確率(大当り確率)を低確率から高確率に変動させる確変状態を付与する機能である。なお、確変状態が付与されていない状態を非確変状態というものとする。実施例では、大当り遊技終了後に確変状態が付与される大当りが確変大当りであり、確変状態が付与されない大当りが非確変大当りとなる。また、実施例では、確変状態が付与される大当りの場合には、大当り遊技終了後、次回の大当りが生起されるまでの間継続して確変状態が付与される。このように、確変状態が付与されると、大当りの抽選確率が高確率に変動して大当りが生起され易くなるため、確変状態は遊技者にとって有利であり、遊技者は確変大当りになることを期待しつつ遊技を行っている。なお、確変状態が付与される期間としては、上記のものに限られない。例えば、確変状態が付与されてから所定条件を満たすまでの間継続して確変状態を付与し、当該所定条件を満たすことを条件に非確変状態に移行させるようにすることもできる。ここで、所定条件としては、確変状態が付与されてからの図柄変動演出の変動回数とすることもできる。また、図柄変動演出毎に非確変状態に移行させるかを、始動入賞口２５ａ,２６ａへのパチンコ球の入賞を契機に取得する乱数に基づいて判定(転落抽選)し、転落抽選に当選することを条件に非確変状態に移行させるようにすることもできる。
【００９２】
また、実施例のパチンコ機１０は、大当り遊技終了後に遊技者に有利な遊技状態として第２特典遊技状態(特典)を付与する機能を備えている。ここで、第２特典遊技状態としては、前記第２始動入賞口２６ａへのパチンコ球の入賞契機が、当該第２特典遊技状態が付与されていない状態に較べて増加する状態である。具体的には、第２特典遊技状態では、(1)前記球通過ゲート３５をパチンコ球が通過したこと(より具体的には通過球検出センサ３５ａがパチンコ球を検出したこと)により実行される普図変動表示の変動時間の短縮、(2)普図当り確率を低確率から高確率に変動、(3)普図当り１回についての第２始動入賞口２６ａを開放する開閉部材３１の開放時間を増やすこと、により第２始動入賞口２６ａへのパチンコ球の入賞契機を増加することができる。なお、第２特典遊技状態では、上記(1)〜(3)を単独または複数を組み合わせることができる。なお、普図当り１回についての第２始動入賞口２６ａを開放する開閉部材３１の開放時間を増やすに際しては、開閉部材３１の開放時間を単純に延長することで実現してもよく、また開閉部材３１の開放回数を増やすことで実現することもでき、またこれらを複合させてもよい。なお、実施例では、第２特典遊技状態として上記(1)〜(3)を組み合わせており、以下の説明では、これら(1)〜(3)を組み合わせた状態を便宜的に「変短状態」というものとする。
【００９３】
ここで、実施例では、大当りに当選した際に決定される大当り図柄の種類に応じて、変短状態が付与される期間(変短回数)が変化するよう構成されている。具体的には、大当り図柄の種類が予め定めた確変図柄である場合には、次回の大当りが生起されるまでの間、変短状態が付与されるよう設定され、大当り図柄の種類が予め定めた非確変図柄である場合には、所定回数の図柄変動演出が実行されるまでの間、変短状態が付与されるよう設定されている。本実施例では、前記変短状態が、入賞率向上状態となる。
【００９４】
前記確変状態および変短状態は、前記始動入賞口２５ａ,２６ａへの入賞を契機としてメイン制御ＣＰＵ２００ａで実行される大当り判定において肯定された際に抽選される大当り図柄の種類によって決まるものである。すなわち、前記メイン制御ＣＰＵ２００ａは、大当りが発生する確率(大当り判定の判定結果が肯定となる確率)が通常よりも高確率となる確変状態を付与する手段として機能すると共に、該確変状態を付与するか否かを判定する確変判定手段として機能する。また、メイン制御ＣＰＵ２００ａは、大当りが発生する場合(大当り判定の判定結果が肯定の場合)に、第２始動入賞口２６ａへパチンコ球が入賞する確率が高確率となる変短状態(入賞率向上状態)を付与する手段として機能すると共に、該変短状態を付与するか否かを判定する変短状態判定手段(入賞率向上状態判定手段)として機能する。なお、確変状態および変短状態は、何れも大当り遊技と同様に、始動入賞手段への入賞を契機として遊技者に付与される可能性のある特典である。
【００９５】
(可動体演出について)
本実施例のパチンコ機１０は、前記演出装置Ｍ１,Ｍ２,Ｍ３によって、図柄変動演出の終了後に大当り遊技(当り遊技)が付与される可能性のあることを示唆する可動体演出を実行可能に構成されている。すなわち、前記始動入賞口２５ａ,２６ａへの入賞を契機としてメイン制御ＣＰＵ２００ａで決定された変動パターンを指定する変動パターン指定コマンドが前記統括制御ＣＰＵ２０１ａに入力された場合に、該統括制御ＣＰＵ２０１ａが演出装置Ｍ１,Ｍ２,Ｍ３による可動体演出を実行するか否かを決定する可動体演出の実行可否判定を行ない、該実行可否判定において可動体演出を実行することが決定された場合に、複数種類の動作演出パターンＰ１〜Ｐ１１の中から１つの動作演出パターンを決定し、決定された動作演出パターンを当該の図柄変動演出中に実行するよう構成される。すなわち本実施例では、図柄変動演出の終了後に大当り遊技(当り遊技)が付与されることを示唆する可動体演出を実行するか否かを決定する可動体演出実行可否決定手段、該可動体演出実行可否決定手段が可動体演出を実行することを決定した場合に、複数種類の動作演出パターンＰ１〜Ｐ１１の中から１つの動作演出パターンを決定可能な演出パターン決定手段および決定した動作演出パターンＰ１〜Ｐ１１に基づく演出を演出装置Ｍ１,Ｍ２,Ｍ３で実行させる可動体演出実行制御手段としての機能を統括制御ＣＰＵ２０１ａが備えている。
【００９６】
(動作演出パターンについて)
前記統括制御ＲＯＭ２００ｂには、前記演出装置Ｍ１,Ｍ２,Ｍ３で実行可能な複数の動作演出パターン(演出パターン)が設定されている。この動作演出パターンは、図２８に示す如く、１１種類が設定されている。
【００９７】
第１動作演出パターンＰ１は、図２８に示すように、第１演出装置Ｍ１の第１可動体ユニットＵ１のみを動作させて、第１可動体４０を中途位置まで下降移動させると共に、第２可動体４１を第２移動位置まで下降移動させるパターンである。この第１動作演出パターンＰ１では、第２可動体４１の第２ライン発光部１２０および第２演出発光部１２１が正面から視認可能となり、該第２ライン発光部１２０の発光により、正面視において細くて短いライン状の発光部分が形成可能となる(図３１参照)。
【００９８】
第２動作演出パターンＰ２は、図２８に示すように、第１演出装置Ｍ１の第２可動体ユニットＵ２のみを動作させて、第３可動体１４０を中途位置まで下降移動させると共に、第４可動体１４１を第４移動位置まで下降移動させるパターンである。この第２動作演出パターンＰ２では、第４可動体１４１の第４ライン発光部１８０および第４演出光部１８１が正面から視認可能となり、該第４ライン発光部１８０の発光により、正面視において細くて短いライン状の発光部分が形成可能となる。
【００９９】
第３動作演出パターンＰ３は、図２８に示すように、第１演出装置Ｍ１の第１可動体ユニットＵ１のみを動作させて、第１可動体４０を第１移動位置まで下降移動させると共に、第２可動体４１を第２移動位置まで下降移動させるパターンである。この第３動作演出パターンＰ３では、第１可動体４０の第１ライン発光部１００および第１演出発光部１０１と、第２可動体４１の第２ライン発光部１２０および第２演出発光部１２１が正面から視認可能となり、該第１ライン発光部１００および第２ライン発光部１２０の発光により、正面視において細くて長いライン状の発光部分が形成可能となる(図３２参照)。
【０１００】
第４動作演出パターンＰ４は、図２８に示すように、第１演出装置Ｍ１の第２可動体ユニットＵ２のみを動作させて、第３可動体１４０を第３移動位置まで下降移動させると共に、第４可動体１４１を第４移動位置まで下降移動させるパターンである。この第４動作演出パターンＰ４では、第３可動体１４０の第３ライン発光部１６０および第３演出発光部１６１と、第４可動体１４１の第４ライン発光部１８０および第４演出光部１８１が正面から視認可能となり、該第３ライン発光部１６０および第４ライン発光部１８０の発光により、正面視において細くて長いライン状の発光部分が形成可能となる。
【０１０１】
第５動作演出パターンＰ５は、図２８に示すように、第１演出装置Ｍ１の第１可動体ユニットＵ１および第２可動体ユニットＵ２を動作させて、第１可動体４０を中途位置まで下降移動させると共に第２可動体４１を第２移動位置まで下降移動させ、かつ第３可動体１４０を中途位置まで下降移動させると共に第４可動体１４１を第４移動位置まで下降移動させるパターンである。この第５動作演出パターンＰ５では、第２可動体４１の第２ライン発光部１２０および第２演出発光部１２１と、第４可動体１４１の第４ライン発光部１８０および第４演出光部１８１が正面から視認可能となり、第２ライン発光部１２０および第４ライン発光部１８０の発光により、正面視において太くて短いライン状の発光部分を形成可能となる(図３３参照)。
【０１０２】
第６動作演出パターンＰ６は、図２８に示すように、第１演出装置Ｍ１の第１可動体ユニットＵ１および第２可動体ユニットＵ２を動作させて、第１可動体４０を第１移動位置まで下降移動させると共に第２可動体４１を第２移動位置まで下降移動させ、かつ第３可動体１４０を中途位置まで下降移動させると共に第４可動体１４１を第４移動位置まで下降移動させるパターンである。この第６動作演出パターンＰ６では、第１可動体４０の第１ライン発光部１００および第１演出発光部１０１と、第２可動体４１の第２ライン発光部１２０および第２演出発光部１２１と、第４可動体１４１の第４ライン発光部１８０および第４演出光部１８１が正面から視認可能となり、第１ライン発光部１００、第２ライン発光部１２０および第４ライン発光部１８０の発光により、正面視において、上半分が太くて下半分が上半分より細く、長いライン状の発光部分を形成可能となる。
【０１０３】
第７動作演出パターンＰ７は、図２８に示すように、第１演出装置Ｍ１の第１可動体ユニットＵ１および第２可動体ユニットＵ２を動作させて、第１可動体４０を中途位置まで下降移動させると共に第２可動体４１を第２移動位置まで下降移動させ、かつ第３可動体１４０を第３移動位置まで下降移動させると共に第４可動体１４１を第４移動位置まで下降移動させるパターンである。この第７動作演出パターンＰ７では、第１可動体４０の第１ライン発光部１００および第１演出発光部１０１と、第３可動体１４０の第３ライン発光部１６０および第３演出発光部１６１と、第４可動体１４１の第４ライン発光部１８０および第４演出光部１８１が正面から視認可能となり、第１ライン発光部１００、第３ライン発光部１６０および第４ライン発光部１８０の発光により、正面視において、上半分が太くて下半分が上半分より細く、長いライン状の発光部分を形成可能となる。
【０１０４】
第８動作演出パターンＰ８は、図２８に示すように、第１演出装置Ｍ１の第１可動体ユニットＵ１および第２可動体ユニットＵ２を動作させて、第１可動体４０を第１移動位置まで下降移動させると共に第２可動体４１を第２移動位置まで下降移動させ、かつ第３可動体１４０を第３移動位置まで下降移動させると共に第４可動体１４１を第４移動位置まで下降移動させるパターンである。この第８動作演出パターンＰ８では、第１可動体４０の第１ライン発光部１００および第１演出発光部１０１と、第２可動体４１の第２ライン発光部１２０および第２演出発光部１２１と、第３可動体１４０の第３ライン発光部１６０および第３演出発光部１６１と、第４可動体１４１の第４ライン発光部１８０および第４演出光部１８１が正面から視認可能となり、第１ライン発光部１００、第２ライン発光部１２０、第３ライン発光部１６０および第４ライン発光部１８０の発光により、正面視において太く長いライン状の発光部分を形成可能となる(図３４参照)。
【０１０５】
第９動作演出パターンＰ９は、図２８に示すように、第１演出装置Ｍ１の第１可動体ユニットＵ１および第２演出装置Ｍ２を各々作動させて、第１可動体４０を第１移動位置まで下降移動させると共に、第２可動体４１を第２移動位置まで下降移動させ、かつ第５可動体１８５を延出位置まで移動させるパターンである。この第９動作演出パターンＰ９では、第１可動体４０の第１ライン発光部１００および第１演出発光部１０１と、第２可動体４１の第２ライン発光部１２０および第２演出発光部１２１と、第５可動体１８５の第５ライン発光部１８８とが正面から視認可能となり、該第１ライン発光部１００および第２ライン発光部１２０の発光により、正面視において細くて縦長の長いライン状の発光部分が形成されると共に、第５ライン発光部１８８の発光により横長のライン状の発光部分が形成可能となる(図３５参照)。
【０１０６】
第１０動作演出パターンＰ１０は、図２８に示すように、第１演出装置Ｍ１の第２可動体ユニットＵ２および第３演出装置Ｍ３を各々作動させて、第３可動体１４０を第３移動位置まで下降移動させると共に、第４可動体１４１を第４移動位置まで下降移動させ、かつ第６可動体１９０を延出位置まで移動させるパターンである。この第１０動作演出パターンＰ１０では、第３可動体１４０の第３ライン発光部１６０および第３演出発光部１６１と、第４可動体１４１の第４ライン発光部１８０および第４演出光部１８１と、第６可動体１９０の第６ライン発光部１９３とが正面から視認可能となり、該第３ライン発光部１６０および第４ライン発光部１８０の発光により、正面視において細くて縦長の長いライン状の発光部分が形成されると共に、第６ライン発光部１９３の発光により横長のライン状の発光部分が形成可能となる。
【０１０７】
第１１動作演出パターンＰ１１は、図２８に示すように、第１演出装置Ｍ１の第１可動体ユニットＵ１および第２可動体ユニットＵ２を動作させると共に、第２演出装置Ｍ２および第３演出装置Ｍ３も動作させて、第１可動体４０を第１移動位置まで下降移動させると共に第２可動体４１を第２移動位置まで下降移動させ、第３可動体１４０を第３移動位置まで下降移動させると共に第４可動体１４１を第４移動位置まで下降移動させ、第５可動体１８５および第６可動体１９０を各々延出位置まで移動させるパターンである。この第１１動作演出パターンＰ８では、第１可動体４０の第１ライン発光部１００および第１演出発光部１０１と、第２可動体４１の第２ライン発光部１２０および第２演出発光部１２１と、第３可動体１４０の第３ライン発光部１６０および第３演出発光部１６１と、第４可動体１４１の第４ライン発光部１８０および第４演出光部１８１と、第５ライン発光部１８８および第６ライン発光部１９３が正面から視認可能となり、第１ライン発光部１００、第２ライン発光部１２０、第３ライン発光部１６０および第４ライン発光部１８０の発光により、正面視において太く長い縦長のライン状の発光部分を形成すると共に、第３ライン発光部１６０および第３演出発光部１６１により横長のライン状の発光部分が形成可能となる(図３６参照)。
【０１０８】
前記パチンコ機１０では、前記演出装置Ｍ１,Ｍ２,Ｍ３により実行される動作演出パターン１〜Ｐ１１によって、図柄変動演出の終了後に大当り遊技(当り遊技)が付与される信頼度が異なるように、動作演出パターンＰ１〜Ｐ１１の出現率が設定される。実施例では、図２９に示すように、図柄変動演出の終了後に大当り遊技(当り遊技)が付与される信頼度が異なる６つのグループＧ１〜Ｇ６に、動作パターングループが分けられている。すなわち、第１動作演出パターンＰ１および第２動作演出パターンＰ２からなるパターングループＧ１と、第３〜第５動作演出パターンＰ３,Ｐ４,Ｐ５からなる第２パターングループＧ２と、第６動作演出パターンＰ６および第７動作演出パターンＰ７からなる第３パターングループＧ３と、第８動作演出パターンＰ６からなる第４パターングループＧ４と、第９動作演出パターンＰ９および第１０動作演出パターンＰ１０からなる第５パターングループＧ５と、第１１動作演出パターンＰ１１からなる第６パターングループＧ６とが設定されている。ここで、実施例では、第１〜第６可動体４０,４１,１４０,１４１,１８５,１９０の動作数に応じて、グループ分けされている。そして、実施例では、第６パターングループＧ６の大当りが付与される信頼度が最も高く、該第６パターングループＧ６、第５パターングループＧ５、第４パターングループＧ４、第３パターングループＧ３、第２パターングループＧ２、第１パターングループＧ１の順で、大当り遊技が付与される信頼度が低くなるよう設定される。すなわち、実施例では、図２９に示す如く、第６パターングループＧ６の信頼度が「最高」、第５パターングループＧ５の信頼度が「高」、第４パターングループＧ４の信頼度が「中高」、第３パターングループＧ３の信頼度が「中」、第２パターングループＧ２の信頼度が「低」、第１パターングループＧ１の信頼度が「最低」に設定されている。なお、大当り遊技が付与される信頼度とは、大当り遊技(当り遊技)が付与される場合の出現率と大当り遊技が付与されない(はずれになる)場合の出現率を合算した全体出現率に対し、大当り遊技が付与される場合の出現率の割合を示すものである。すなわち、大当り遊技が付与される信頼度は、全体出現率に対して大当り遊技が付与される場合の出現率の割合が高いほど高くなる。そして、大当り遊技が付与される信頼度を設定するための出現率は、各動作演出パターンに対して振分けられている動作演出パターン抽選用判定値の振分け態様(振分け個数)によって規定することができる。
【０１０９】
ここで、前記統括制御ＣＰＵ２０１ａでは、動作演出パターンの抽選に用いられる動作演出パターン判定用乱数として、実施例では「０」〜「１００」の全１０１通りの整数値が設定されており、所定の周期(４ｍｓ)で１ずつ更新されるようになっている。また、統括制御ＲＯＭ２００ｂには、動作演出パターンの抽選に用いられる動作演出パターン抽選用判定値が記憶されており、動作演出パターン抽選用判定値は、動作演出パターン判定用乱数の取り得る「０」〜「１００」までの全１０１通りの整数の中から所定数の判定値が夫々の動作演出パターンに定められている。動作演出パターン抽選用判定値の振分けは、大当り判定の結果が肯定の場合(大当り)と否定の場合(はずれ)とで異なるように設定される。図２９は、大当り判定の結果が肯定の場合(大当り)の動作演出パターン振分け抽選テーブルＴ１と、大当り判定の結果が否定の場合(はずれ)の動作演出パターン振分け抽選テーブルＴ２と示すものであって、各振分け抽選テーブルＴ１,Ｔ２の夫々において、１０１通りの動作演出パターン抽選用判定値が各動作演出パターンに振分けられることで、各動作演出パターンの大当り遊技が付与される信頼度が前述したように規定されるようになっている。
【０１１０】
すなわち、動作演出パターン振分け抽選テーブルＴ１では、第１パターングループＧ６に「０」〜「１」の２通りの動作演出パターン抽選用判定値が振分けられ、第２パターングループＧ２に「２」〜「７」の６通りの動作演出パターン抽選用判定値が振分けられ、第３パターングループＧ３に「８」〜「１７」の１０通りの動作演出パターン抽選用判定値が振分けられ、第４パターングループＧ４に「１８」〜「２９」の１２通りの動作演出パターン抽選用判定値が振分けられ、第５パターングループＧ５に「３０」〜「４９」の２０通りの動作演出パターン抽選用判定値が振分けられ、第６パターングループＧ６に「５０」〜「１００」の５１通りの動作演出パターン抽選用判定値が振分けられている。
【０１１１】
これに対し、動作演出パターン振分け抽選テーブルＴ２では、第１パターングループＧ１に「０」〜「４９」の５０通りの動作演出パターン抽選用判定値が振分けられ、第２パターングループＧ２に「５０」〜「７０」の２１通りの動作演出パターン抽選用判定値が振分けられ、第３パターングループＧ３に「７１」〜「８２」の１２通りの動作演出パターン抽選用判定値が振分けられ、第４パターングループＧ４に「８３」〜「９２」の１０通りの動作演出パターン抽選用判定値が振分けられ、第５パターングループＧ５に「９３」〜「１８０」の６通りの動作演出パターン抽選用判定値が振分けられ、第６パターングループＧ６に「９９」〜「１００」の２通りの動作演出パターン抽選用判定値が振分けられている。
【０１１２】
これにより、各動作演出パターンＰ１〜Ｐ１１が演出装置Ｍ１,Ｍ２,Ｍ３で実行された場合の大当り遊技が付与される信頼度を、第６パターングループＧ６、第５パターングループＧ５、第４パターングループＧ４、第３パターングループＧ３、第２パターングループＧ２、第１パターングループＧ１の順で高くなるようにしている。具体的に、例えば、大当り判定の結果が肯定の場合(大当り)に、第６パターングループＧ６に属する第１１動作演出パターンＰ１１は最も選択され易く、大当り判定の結果が否定の場合(はずれ)に、第１１動作演出パターンＰ１１は最も選択され難く構成されているので、第１１動作演出パターンＰ１１が演出装置Ｍ１,Ｍ２,Ｍ３で実行された場合は大当り遊技が付与される信頼度が高くなる。一方、大当り判定の結果が肯定の場合(大当り)に、第１パターングループＧ１に属する第１動作演出パターンＰ１および第２動作演出パターンＰ２は最も選択され難く、大当り判定の結果が否定の場合(はずれ)に、第１動作演出パターンＰ１および第２動作演出パターンＰ２は最も選択され易く構成されているので、第１動作演出パターンＰ１および第２動作演出パターンＰ２が演出装置Ｍ１で実行された場合は大当り遊技が付与される信頼度が低くなる。
【０１１３】
前記各パターングループに振分けられる動作演出パターン抽選用判定値は、各動作演出パターン毎に更に振分けられている。例えば、第２パターングループＧ２について説明すると、動作演出パターン振分け抽選テーブルＴ１の場合は、該第２パターングルーブＧ２には６通りの動作演出パターン抽選用判定値が振分けられているから、第３〜第５動作演出パターンＰ３,Ｐ４,Ｐ５に、各々２通りずつの動作演出パターン抽選用判定値が振分けられ、動作演出パターン振分け抽選テーブルＴ２の場合は、該第２パターングルーブＧ２には２１通りの動作演出パターン抽選用判定値が振分けられているから、第３〜第５動作演出パターンＰ３,Ｐ４,Ｐ５に、各々７通りずつの動作演出パターン抽選用判定値が振分けられている。すなわち、実施例では、複数の動作演出パターンを備えるパターングループにおいて、各動作演出パターンが選択される割合は同じに設定してある。
【０１１４】
(表示演出パターンについて)
実施例のパチンコ機１０では、前記統括制御ＲＯＭ２００ｂに、前記演出装置Ｍ１,Ｍ２,Ｍ３による複数の前記動作演出パターンＰ１〜Ｐ１１に対応して、前記図柄表示装置１８で行なわれる表示演出の表示内容を特定する表示演出パターンＡ１〜Ａ１１(図３０参照)が記憶されている。そして、統括制御ＣＰＵ２０１ａは、前記動作演出パターンの抽選で１つの動作演出パターンを決定すると、該動作演出パターンに対応する表示演出パターン指定コマンドを前記表示制御ＣＰＵ２０２ａに出力し、該表示制御ＣＰＵ２０２ａは、表示演出パターン指定コマンドを入力すると、その表示演出パターンに対応する表示データに基づく演出内容の画像を図柄表示装置１８の表示部１８ａに表示するよう制御する。
【０１１５】
第１動作演出パターンＰ１に対応する第１表示演出パターンＡ１は、図３１に示すように、ジグザグのラインをなす第１表示画像Ｌ１を表示する演出パターンである。この第１表示画像Ｌ１は、稲妻を模したものである。第１表示画像Ｌ１は、上端が第２移動位置における第２可動体４１の第２ライン発光部１２０の下端に対応する位置であり、下端が開口部２４ａの下縁に到達しない長さとなっている。また、第２動作演出パターンＰ２に対応する第２表示演出パターンＡ２は、図３１に示す前記第１表示画像Ｌ１を、その上端が第４移動位置における第４可動体１４１の第４ライン発光部１７６の下端に対応する位置となるよう表示する表示演出パターンである。
【０１１６】
第３動作演出パターンＰ３に対応する第３表示演出パターンＡ３は、図３２に示すように、ジグザグのラインをなす第２表示画像Ｌ２を表示する演出パターンである。この第２表示画像Ｌ２は、稲妻を模したものである。第２表示画像Ｌ２は、上端が第１移動位置における第１可動体４０の第１ライン発光部９６の下端に対応する位置であり、下端が開口部２４ａの下縁に到達する長さとなっている。また、第４動作演出パターンＰ４に対応する第４表示演出パターンＡ４は、図３２に示す前記第２表示画像Ｌ２を、その上端が第３移動位置における第３可動体１４０の第３ライン発光部１５６の下端に対応する位置となるよう表示する表示演出パターンである。
【０１１７】
第５動作演出パターンＰ５に対応する第５表示演出パターンＡ５は、図３３に示すように、ジグザグのラインをなす前記第１表示画像Ｌ１を、２本並べて表示する演出パターンである。第５表示演出パターンＡ５では、一方の第１表示画像Ｌ１を、その上端が第２移動位置における第２可動体４１の第２ライン発光部１２０の下端に対応する位置に表示し、他方の第１表示画像Ｌ１を、その上端が第４移動位置における第４可動体１４１の第４ライン発光部１７６の下端に対応する位置に表示するようになっている。なお、２本の第１表示画像Ｌ１,Ｌ１の表示間隔を狭く設定すれば、１本の太いラインに見せることも可能である。
【０１１８】
第６動作演出パターンＰ６に対応する第６表示演出パターンＡ６は、ジグザグのラインをなす前記第２表示画像Ｌ２を表示する演出パターンである。第６表示演出パターンＡ６では、第２表示画像Ｌ２を、上端が第１移動位置における第１可動体４０の第１ライン発光部９６の下端に対応する位置に表示するようになっている。また、第７動作演出パターンＰ７に対応する第７表示演出パターンＡ７は、ジグザグのラインをなす前記第２表示画像Ｌ２を表示する演出パターンである。第６表示演出パターンＡ６では、第２表示画像Ｌ２を、上端が第３移動位置における第３可動体１４０の第３ライン発光部１５６の下端に対応する位置に表示するようになっている。
【０１１９】
第８動作演出パターンＰ８に対応する第８表示演出パターンＡ８は、図３４に示すように、ジグザグのラインをなす前記第２表示画像Ｌ２を２本並べて表示する演出パターンである。この第８表示演出パターンＡ８では、一方の第２表示画像Ｌ２を、その上端が第１移動位置における第１可動体４０の第１ライン発光部９６の下端に対応する位置に表示し、他方の第２表示画像Ｌ２を、その上端が第３移動位置における第３可動体１４０の第３ライン発光部１５６の下端に対応する位置に表示するようになっている。なお、２本の第２表示画像Ｌ２,Ｌ２の表示間隔を狭く設定すれば、１本の太いラインに見せることも可能である。
【０１２０】
第９動作演出パターンＰ９に対応する第９表示演出パターンＡ９は、図３５に示すように、ジグザグのラインをなす第２表示画像Ｌ２と、斜めのジグザグのラインをなす第３表示画像Ｌ３とを表示する演出パターンである。ここで、第３表示画像Ｌ３は、上端が演出位置にある第５可動体１８５の第５ライン発光部１８８の右端に対応する位置であり、下端が開口部２４ａの下縁における左右略中央に到達する長さとなっている。また、第１０動作演出パターンＰ１０に対応する第１０表示演出パターンＡ１０は、ジグザグのラインをなす第２表示画像Ｌ２と、斜めのジグザグのラインをなす第４表示画像Ｌ４(図３６参照)とを表示する演出パターンである。ここで、第４表示画像Ｌ４は、その上端が、演出位置にある第６可動体１９０の第６ライン発光部１９３の左端に対応する位置であり、下端が開口部２４ａの下縁における左右略中央に到達する長さとなっている。
【０１２１】
第１１動作演出パターンＰ１１に対応する第１１表示演出パターンＡ１１は、図３６に示すように、ジグザグのラインをなす２本の第２表示画像Ｌ２と、斜めのジグザグのラインをなす第３表示画像Ｌ３および第４表示画像Ｌ４とを表示すると共に、更に第７ライン表示部１９９において２本の第５表示画像Ｌ５を表示する表示演出パターンである。この第１１表示演出パターンＡ１１では、第１〜第６可動体４０,４１,１４０,１４１,１８５,１９０の全てが動作して、第１〜第６ライン発光部９６,１２０,１５６,１７６,１８８,１９３の全てが照明される一方、表示部１８ａに第１〜第４の４本の表示画像Ｌ１〜Ｌ４が表示されると共に第７ライン発光部１９８に第５表示画像Ｌ５も表示されるから、迫力ある演出が実行され得るようになっている。
【０１２２】
〔実施例の作用〕
次に、前述した実施例に係るパチンコ機の作用につき説明する。
【０１２３】
前記前枠１３の前面側に設けられた前記操作ハンドル１７の操作レバー１７ａを遊技者が回転操作すると、打球発射装置１６から発射されたパチンコ球が遊技盤２１の遊技領域２１ａ内に打ち出される。この遊技領域２１ａに打ち出されたパチンコ球は、枠状装飾部材２４の外周囲を流下し、該パチンコ球が第１始動入賞装置２５(第１始動入賞口２５ａ)に入賞すると、第１始動入賞検出センサ２５ｂからの検出信号がメイン制御ＣＰＵ２００ａに入力され、該メイン制御ＣＰＵ２００ａは、大当り判定用乱数の値をメイン制御ＲＯＭ２００ｂから読み出し、メイン制御ＲＡＭ２００ｃの所定の記憶領域に記憶する。そして、メイン制御ＣＰＵ２００ａは、図柄変動ゲームの開始前に、メイン制御ＲＡＭ２００ｃに記憶されている大当り判定用乱数の値とメイン制御ＲＯＭ２００ｂに記憶されている大当り判定値とを比較して大当りか否かの大当り判定(当り判定)を行なう。
【０１２４】
前記メイン制御ＣＰＵ２００ａは、大当り判定の判定結果が肯定(大当り判定用乱数の値と大当り判定値とが一致)の場合、大当りを決定する。大当りを決定したメイン制御ＣＰＵ２００ａは、図柄決定用乱数をメイン制御ＲＡＭ２００ｃから読み出し、該値に予め対応付けられた図柄を大当り図柄として決定し、決定した図柄の種類を示す情報をメイン制御ＲＡＭ２００ｃに記憶する。そして、メイン制御ＣＰＵ２００ａは、図柄の種類に応じた大当り導出演出用の変動パターンを決定し、決定した大当り導出演出用の変動パターンに対応する制御コマンドを所定のタイミングで統括制御基板２０１(統括制御ＣＰＵ２０１ａ)に出力する。また、メイン制御ＣＰＵ２００ａは、大当り判定の判定結果が否定(大当り判定用乱数の値と大当り判定値とが不一致)の場合、はずれを決定すると共に、選択されたはずれ演出用の変動パターンを決定し、決定したはずれ演出用の変動パターンに対応する制御コマンドを所定のタイミングで統括制御基板２０１(統括制御ＣＰＵ２０１ａ)に出力する。
【０１２５】
前記統括制御ＣＰＵ２０１ａは、大当り導出演出用の変動パターンまたははずれ演出用の変動パターンに対応する変動パターン指定コマンドを入力すると、前記第１〜第３演出装置Ｍ１,Ｍ２,Ｍ３による可動体演出を実行するか否かを決定する可動体演出の実行可否判定を行なう。すなわち、統括制御ＣＰＵ２０１ａは、変動パターン指定コマンドが入力されたときに実行可否判定用乱数を取得すると共に、この取得した実行可否判定用乱数の値を、可動体演出の実行可否判定に用いられる抽選テーブルに設定されている実行可否判定値と比較して、可動体演出を実行するか否かを決定する。
【０１２６】
前記統括制御ＣＰＵ２０１ａは、実行可否判定において可動体演出を実行することが決定された場合に、複数種類の動作演出パターンＰ１〜Ｐ１１の中から１つの動作演出パターンを決定し、決定された動作演出パターンを当該の図柄変動演出中に実行する。具体的には、メイン制御ＣＰＵ２００ａでの大当り判定が肯定(大当り)で、実行可否判定が肯定の場合には、統括制御ＣＰＵ２０１ａは、大当り導出演出用の変動パターンに対応する変動パターン指定コマンドが入力されたときに動作演出パターン判定用乱数を取得すると共に、この取得した動作演出パターン判定用乱数の値を、動作演出パターン振分け抽選テーブルＴ１(図２９)に設定されている動作演出パターン抽選用判定値と比較して、何れかの動作演出パターンＰ１〜Ｐ１１を決定する。また、メイン制御ＣＰＵ２００ａでの大当り判定が否定(はずれ)で、実行可否判定が肯定の場合には、統括制御ＣＰＵ２０１ａは、はずれ演出用の変動パターンに対応する変動パターン指定コマンドが入力されたときに動作演出パターン判定用乱数を取得すると共に、この取得した動作演出パターン判定用乱数の値を、動作演出パターン振分け抽選テーブルＴ２(図２９)に設定されている動作演出パターン抽選用判定値と比較して、何れかの動作演出パターンＰ１〜Ｐ１１を決定する。
【０１２７】
前記統括制御ＣＰＵ２０１ａは、動作演出パターンを決定すると、決定した動作演出パターンに対応する演出指定コマンドを可動体制御基板２０４に出力し、該可動体制御基板２０４によって前記演出装置Ｍ１,Ｍ２,Ｍ３の駆動モータ７３,１４８,１８６,１９１が制御されて、決定された動作演出パターンで可動体４０,４１,１４０,１４１,１８５,１９０が移動される。また、統括制御ＣＰＵ２０１ａは、決定した動作演出パターンに対応する表示演出パターンの表示演出コマンドを表示制御基板２０２に出力すると共に、該動作演出パターンに対応する発光演出パターンの発光演出コマンドを発光制御基板２０３に出力する。そして、表示制御ＣＰＵ２０２ａは、入力された発光演出コマンドに対応する表示データに基づく画像を表示部１８ａに表示するよう図柄表示装置１８を制御する。また、発光制御基板２０３は、入力された発光演出パターンの発光演出コマンドに基づいて対応する第１〜第７ライン用ＬＥＤ１００,１２５,１６０,１８０,１８９,１９４,１９９を発光制御する。
【０１２８】
例えば、動作演出パターンとして第１動作演出パターンＰ１が決定された場合は、可動体制御基板２０４は、第１駆動モータ７３を正転方向に駆動するよう制御し、図３１に示す如く、第１可動体４０が中途位置に移動すると共に第２可動体４１が第２移動位置に移動する。また、発光制御基板２０３は、第２可動体４１の移動開始と同時に第２ライン用ＬＥＤ１２４を発光させ、これにより図柄表示装置１８における表示部１８ａの上部中央に、第２ライン発光部１２０により細く短いライン状の発光部分が形成される。更に、表示制御ＣＰＵ２０２ａは、第１表示演出パターンＡ１に基づき、表示部１８ａの左右中央に第１演出画像Ｌ１を表示する。これにより、表示部１８ａには、細くかつ短い稲妻のような発光演出が表示される。なお、発光制御基板２０３は、第２演出用ＬＥＤ１２５を適時に発光させ、第２演出発光部１２１を照明する。
【０１２９】
また、動作演出パターンとして第３動作演出パターンＰ３が決定された場合は、可動体制御基板２０４は、第１駆動モータ７３を正転方向に駆動するよう制御し、図３２に示す如く、第１可動体４０が第１移動位置に移動すると共に第２可動体４１が第２移動位置に移動する。また、発光制御基板２０３は、第１可動体４０の移動開始と同時に第１ライン用ＬＥＤ１００および第２可動体４１の移動開始と同時に第２ライン用ＬＥＤ１２４を発光させ、これにより図柄表示装置１８における表示部１８ａの上部中央に、第１ライン発光部９６および第２ライン発光部１２０により、細く長いライン状の発光部分が形成される。更に、表示制御ＣＰＵ２０２ａは、第３表示演出パターンＡ３に基づき、表示部１８ａに第２演出画像Ｌ２を表示する。これにより、表示部１８ａには、細くかつ長い稲妻のような発光演出が表示される。なお、発光制御基板２０３は、第１演出用ＬＥＤ１０１および第２演出用ＬＥＤ１２５を適時に発光させ、第１演出発光部９７および第２演出発光部１２１を照明する。
【０１３０】
また、動作演出パターンとして第５動作演出パターンＰ５が決定された場合は、可動体制御基板２０４は、第１駆動モータ７３および第２駆動モータ１４８を夫々正転方向に駆動するよう制御し、図３３に示す如く、第１可動体４０が中途位置に移動すると共に第２可動体４１が第２移動位置に移動すると共に、第３可動体１４０が中途位置に移動すると共に第４可動体１４１が第４移動位置に移動する。また、発光制御基板２０３は、第２可動体４１の移動開始と同時に第２ライン用ＬＥＤ１２４および第４可動体１４１の移動開始と同時に第４ライン用ＬＥＤ１８１を発光させ、これにより図柄表示装置１８における表示部１８ａの上部中央に、第２ライン発光部１２０および第４ライン発光部１７６により、太く短いライン状の発光部分が形成される。更に、表示制御ＣＰＵ２０２ａは、第５表示演出パターンＡ５に基づき、表示部１８ａの左右中央に第２表示画像Ｌ２を表示する。これにより、表示部１８ａには、細い短い稲妻のような発光演出が表示される。なお、発光制御基板２０３は、第２演出用ＬＥＤ１２５および第４演出用ＬＥＤ１８１を適時に発光させ、第２演出発光部１２１および第４演出発光部１７７を照明する。
【０１３１】
また、動作演出パターンとして第８動作演出パターンＰ８が決定された場合は、可動体制御基板２０４は、第１駆動モータ７３および第２駆動モータ１４８を夫々正転方向に駆動するよう制御し、図３４に示す如く、第１可動体４０が第１移動位置に移動すると共に第２可動体４１が第２移動位置に移動すると共に、第３可動体１４０が第３移動位置に移動すると共に第４可動体１４１が第４移動位置に移動する。また、発光制御基板２０３は、第１可動体４０の移動開始と同時に第１ライン用ＬＥＤ１００および第２可動体４１の移動開始と同時に第２ライン用ＬＥＤ１２４を発光させると共に、第３可動体１４０の移動開始と同時に第３ライン用ＬＥＤ１６０および第４可動体１４１の移動開始と同時に第４ライン用ＬＥＤ１８０を発光させ、これにより図柄表示装置１８における表示部１８ａの上部中央に、第１〜第４ライン発光部９６,１２０,１５６,１７６により、太く長いライン状の発光部分が形成される。更に、表示制御ＣＰＵ２０２ａは、第８表示演出パターンＡ８に基づき、表示部１８ａの左右中央で第２ライン発光部１２０および第４ライン発光部１７６に繋がるような２本の第２演出画像Ｌ２,Ｌ２を表示する。これにより、表示部１８ａには、該表示部１８ａの下縁まで到達する太くて長い稲妻のような発光演出が表示される。なお、発光制御基板２０３は、第１〜第４演出用ＬＥＤ１０１,１２５,１６１,１８１を適時に発光させ、第１〜第４演出発光部９７,１２１,１５７,１７７を照明する。
【０１３２】
また、動作演出パターンとして第９動作演出パターンＰ９が決定された場合は、可動体制御基板２０４は、第１駆動モータ７３および第３駆動モータ１８６を夫々正転回転するよう制御し、図３５に示す如く、第１可動体４０が第１移動位置に移動すると共に第２可動体４１が第２移動位置に移動し、第５可動体１８５が演出位置に移動する。また、発光制御基板２０３は、第１可動体４０の移動開始と同時に第１ライン用ＬＥＤ１００および第２可動体４１の移動開始と同時に第２ライン用ＬＥＤ１２４を発光させると共に、第５可動体１８５の移動開始と同時に第５ライン用ＬＥＤ１８９を発光させ、これにより図柄表示装置１８における表示部１８ａの上部中央に、第１、第２ライン発光部９６,１２０により、細く長いライン状の発光部分が形成されると共に、該表示部１８ａの左部中央に、第５ライン発光部１８８により横長のライン状の発光部分が形成される。更に、表示制御ＣＰＵ２０２ａは、第９表示演出パターンＡ９に基づき、第２ライン発光部１２０および第５ライン発光部１８８に繋がるような第２演出画像Ｌ２および第３演出画像Ｌ３を表示する。これにより、表示部１８ａには、該表示部１８ａの下縁まで到達する２本の稲妻のような発光演出が表示される。なお、発光制御基板２０３は、第１、第２演出用ＬＥＤ１０１,１２５を適時に発光させ、第１、第２演出発光部９７,１２１を照明する。
【０１３３】
更に、動作演出パターンとして第１１動作演出パターンＰ１１が決定された場合は、可動体制御基板２０４は、第１〜第４駆動モータ７３,１４８,１８６，１９１を夫々正転回転するよう制御し、図３６に示す如く、第１可動体４０が第１移動位置に移動すると共に第２可動体４１が第２移動位置に移動し、第３可動体１４０が第３移動位置に移動すると共に第４可動体１４１が第４移動位置に移動し、第５可動体１８５および第６可動体１９０が夫々演出位置に移動する。また、発光制御基板２０３は、第１可動体４０の移動開始と同時に第１ライン用ＬＥＤ１００を発光させ、第２可動体４１の移動開始と同時に第２ライン用ＬＥＤ１２４を発光させ、第３可動体１４０の移動開始と同時に第３ライン用ＬＥＤ１６０を発光させ、第４可動体１４１の移動開始と同時に第４ライン用ＬＥＤ１８４を発光させ、第５可動体１８５の移動開始と同時に第５ライン用ＬＥＤ１８９を発光させると共に、第６可動体１９０の移動開始と同時に第６ライン用ＬＥＤ１９４を発光させる。これにより、図柄表示装置１８における表示部１８ａの上部中央に、第１〜第４ライン発光部９６,１２０,１６０,１８０により、太くて長いライン状の発光部分が形成されると共に、該表示部１８ａの左側に、第５ライン発光部１８８により横長のライン状の発光部分が形成されると共に、該表示部１８ａの右側に、第６ライン発光部１９３により横長のライン状の発光部分が形成される。更に、表示制御ＣＰＵ２０２ａは、第１１表示演出パターンＡ１１に基づき、表示部１８ａに２本の第２演出画像Ｌ２,Ｌ２、第３演出画像Ｌ３および第４演出画像Ｌ４を表示する。更に、発光制御基板２０３は、第７ライン用ＬＥＤ１９９を発光させ、第７ライン発光部１９８を照明する。
【０１３４】
実施例のパチンコ機１０では、図柄表示装置１８での図柄変動演出中において第１〜第３演出装置Ｍ１,Ｍ２,Ｍ３で実施される前記動作演出パターンＰ１〜Ｐ１１によって、当該図柄変動演出後に大当り遊技が付与される信頼度が異なるよう構成したので、第１〜第６可動体４０,４１,１４０,１４１,１８５,１９０の動作に対して遊技者の関心を惹き付けることができる。また、第１〜第６可動体４０,４１,１４０,１４１,１８５,１９０の動作は、統括制御ＲＯＭ２０１ｂに記憶されている複数の動作演出パターンの中から１つを抽選で決定するものであるので、統括制御ＣＰＵ２０１ａの制御負荷を軽減し得る。
【０１３５】
また、実施例のパチンコ機１０における第１演出装置Ｍ１では、第１可動体４０と第２可動体４１とが前後に重なっている場合と該第１可動体４０と第２可動体４１とが各々の第１、第２移動位置に移動した場合とで第１ライン発光部９６および第２ライン発光部１２０による形成される発光部分の正面視での長さが長短変化するので、発光演出のバリエーションが増えて興趣の向上を図り得る。また、第３可動体１４０と第４可動体１４１においても、両可動体１４０,１４１が前後に重なっている場合と各々が第３、第４移動位置に移動した場合とで第３ライン発光部１５６および第４ライン発光部１７６による形成される発光部分の正面視での長さが長短変化するので、発光演出のバリエーションが増えて興趣の向上を図り得る。また、第１可動体４０および第２可動体４１が第１、第２移動位置に移動した状態では、第１ライン発光部９６が第２ライン発光部１２０より後方に位置して前後にずれて発光するので、立体感がある発光演出を行なうことができる。同様に、第３可動体１４０および第４可動体１４１が第３、第４移動位置に移動した状態では、第３ライン発光部１５６が第４ライン発光部１７６より後方に位置して前後にずれて発光するので、立体感がある発光演出を行なうことができる。
【０１３６】
更に、実施例のパチンコ機１０における第１演出装置Ｍ１は、移動量が大きい第１可動体４０および第３可動体１４０を各々の初期位置と移動位置との間を移動させる際に、移動量が小さい第２可動体４１および第４可動体１４１が各々の初期位置と移動位置との間を追従して移動させるよう構成したから、第１可動体４０と第２可動体４１とを移動方向にずれた状態に変位させることができると共に、第３可動体１４０と第４可動体１４１とを移動方向にずれた状態に変位させることができる。更に、第１駆動モータ７３により第１可動体４０および第２可動体４１の２つを移動させることができると共に、第２駆動モータ１４８により第３可動体１４０および第４可動体１４１を移動させることができ、各可動体毎に専用の駆動モータを装備した場合と比べて、コスト削減および軽量化を図り得る。
【０１３７】
更に、第１演出装置Ｍ１は、第１可動体ユニットＵ１の駆動モータ７３と第２可動体ユニットＵ２の駆動モータ１４８とを同期して作動させ、第１可動体４０と第３可動体１４０とを移動方向と交差する方向に整列させた場合には、第１ライン発光部９６と第３ライン発光部１５６とが該移動方向と交差する方向へ並ぶようになり、第１ライン発光部９６または第３ライン発光部１５６の何れか一方だけを発光させた場合と比べて幅広の発光部分を形成することができ、幅が異なる発光部分を形成することができる。同様に、第２可動体４１と第４可動体１４１とを移動方向と交差する方向に整列させた場合には、第２ライン発光部１２０と第４ライン発光部１７６とが該移動方向と交差する方向へ並ぶようになり、第２ライン発光部１２０または第４ライン発光部１７６の何れか一方だけを発光させた場合と比べて幅広の発光部分を形成することができ、幅が異なる発光部分を形成することができる。
【０１３８】
そして、第１演出装置Ｍ１は、第１可動体ユニットＵ１および第２可動体ユニットＵ２の各駆動モータ７３,１４８を同期作動させて第１〜第４可動体４０,４１,１４０,１４１を同期するよう移動させたり、各駆動モータ７３,１４８を個別に作動させて第１〜第４可動体４０,４１,１４０,１４１を個別に移動させると共に、第１〜第４ライン発光部９６,１２０,１５６,１７６を同期するよう発光させたり個別に発光させることで、正面視での長さおよび太さが異なる多様な発光部分を形成することができ、発光演出のバリエーションが増えて興趣の向上を図り得る。
【０１３９】
(変更例)
（１）実施例では、図柄表示装置における表示部の上方に第１演出装置を配設したが、該第１演出装置は、表示部の左方、右方または下方に配設するものであってもよい。
（２）実施例では、２基の可動体ユニットから構成された演出装置を例示したが、可動体ユニットの配設数はこれに限らず、１基または３基以上の可動体ユニットから構成したものであってもよい。
（３）可動体ユニットが１基の場合には、各可動体に設けられ発光部は、正面から視認可能な位置であれば、どの部位に設けてもよい。
（４）実施例では、各可動体ユニットにおける可動体の配設数動作演出パターンとして１１種類を例示したが、動作演出パターンはこれに限られるものではない。
（５）複数の可動体を備える場合には、各可動体毎に、駆動手段を備えた作動機構を設けるようにしてもよい。この場合には、各作動機構の駆動手段を非同期で駆動させることで、各可動体の初期位置と移動位置との移動態様が多様となり、ライン発光部により形成されるライン状の発光部分の長短変化のタイミングや時間、長さ等を様々に変化させ得る。
（６）実施例では、第１〜第４の可動体を上下方向に往復移動するよう構成したが、可動体を水平方向または斜め方向に移動するよう構成してもよい。また、実施例では、第１〜第４の可動体を直線的に往復移動するよう構成を例示したが、曲線軌跡を描くように往復移動するものであってもよい。
（７）図柄表示装置での図柄変動演出中に実行される可動体演出については、１種類の動作演出パターンを実行するものに限らず、複数を組み合わせて行なうようにしてもよい。この場合に、大当り遊技が付与される信頼度が低い動作演出パターンから高い動作演出パターンに段階的に進行するようにすれば、遊技者の期待感を高めることができる。
（８）実施例では、動作演出パターンによって大当り遊技が付与される信頼度を変えるよう構成したが、確変状態や変短状態が付与される信頼度を、動作演出パターンによって変えるようにしてもよい。
（９）図柄表示装置の表示部に表示される表示演出パターンは、実施例で例示した形態に限らず、様々な形態とすることができる。
（１０）実施例では、パチンコ球が一定の確率で入賞可能な第１始動入賞装置と、パチンコ球の入賞確率を可変可能な第２始動入賞装置とを始動入賞手段として備え、各始動入賞手段毎に検出手段を設けて個別にパチンコ球の入賞を検出するよう構成したが、該第１および第２始動入賞手段の入賞検出手段を共通にしてもよい。すなわち、第１始動入賞手段への入賞と、第２始動入賞手段への入賞とを区別しないよう構成してもよい。
（１１）遊技機としては、パチンコ機に限られるものではなく、アレンジボール機やパチンコ球を用いたスロットマシン等、その他各種の遊技機であってもよい。
【０１４０】
本願には、例えば次のような技術的思想が含まれている。
(付記１)
請求項１〜３の何れか一項に記載の遊技機において、
前記各発光部(96,120)は、当該発光部(96,120)が配設された前記可動体(40,41)の移動方向に、複数の発光体(13a,14a)が間隔をおいて配設され、
前記発光制御手段(203)は、前記各発光体(13a,14a)を個別に発光制御可能に構成される。
付記１に係る発明によれば、各発光部は、可動体の移動方向に間隔をおいて配設された複数の発光体が個別に発光し得るので、各発光部での発光部分の長さや発光位置を変更することができ、発光演出のバリエーションが増えるようになる。
【０１４１】
（付記２）
請求項１〜３および付記１の何れか一項に記載の遊技機において、
遊技球が流下する遊技領域(21a)が前側に画成された遊技盤(21)と、該遊技盤(21)の前側に臨む表示部(18a)で図柄を変動表示可能な図柄表示装置(18)とを備え、
前記可動演出装置(M1)は、前記表示部(18a)の外側に、前記各々の可動体(40,41)の移動位置が初期位置より前記表示部(18a)の中央側に位置するよう配設される。
付記２に係る発明によれば、可動演出装置の各可動体の初期位置と移動位置との間の移動と、各発光部の発光演出と、図柄表示装置の表示部での表示演出とを、夫々同期させた演出を行なうことが可能となり、発光演出のバリエーションが増えて興趣の向上を図り得る。
【０１４２】
（付記３）
付記２に記載の遊技機において、
前記可動体(40,41)の移動方向において前記表示部(18a)を挟んで設けられ、前記発光部(96,120)の延長方向に延在して、該発光部(96,120)と同期した発光演出が可能な第２の発光部(198)を備える。
付記３に係る発明によれば、各可動体の発光部の発光演出と、別の可動体の第２の発光部の発光演出と、表示部の表示演出とを、夫々同期させた演出を行なうことが可能となり、発光演出のバリエーションが増えて興趣の向上を図り得る。
【０１４３】
（付記４）
請求項１〜３、付記１〜３の何れか一項に記載の遊技機において、
前記各可動体(40,41)の移動領域を挟む両側に配設され、該可動体(40,41)の移動方向と交差する方向で該移動領域に近接・離間移動が可能な第２の可動体(185,190)を備え、
前記各第２の可動体(185,190)に設けられ、該第２の可動体(185,190)の移動方向へ延在して、前記発光部(96,120)と同期した発光演出が可能な第３の発光部(188,193)を備える。
付記４に係る発明によれば、複数の可動体に設けられた発光部の発光演出および第２の可動体の第３発光部の発光演出を同期させた発光演出を行なうことで、発光演出のバリエーションが増えて興趣の向上を図り得る。
【符号の説明】
【０１４４】
４０ 第１可動体(可動体、移動量が最大の可動体)
４１ 第２可動体(可動体)
４５ 第１作動手段(作動機構)
９１ 第１装飾部材(視認可能部位)
９６ 第１ライン発光部(発光部)
１１１ 第２装飾部材(視認可能部位)
１２０ 第２ライン発光部(発光部)
１４０ 第３可動体(可動体)
１４１ 第４可動体(可動体)
１４５ 第２作動機構(作動機構)
１５１ｂ 当接部(規制部)
１５６ 第３ライン発光部(発光部)
１７６ 第４ライン発光部(発光部)
２０３ 発光制御手段
２０４ 可動体制御基板(作動制御手段)
Ｍ１ 第１演出装置(可動演出装置)
Ｕ１ 第１可動体ユニット(可動部)
Ｕ２ 第２可動体ユニット(可動部)
【図１】
2015029850.tif 000003
【図２】
2015029850.tif 000004
【図３】
2015029850.tif 000005
【図４】
2015029850.tif 000006
【図５】
2015029850.tif 000007
【図６】
2015029850.tif 000008
【図７】
2015029850.tif 000009
【図８】
2015029850.tif 000010
【図９】
2015029850.tif 000011
【図１０】
2015029850.tif 000012
【図１１】
2015029850.tif 000013
【図１２】
2015029850.tif 000014
【図１３】
2015029850.tif 000015
【図１４】
2015029850.tif 000016
【図１５】
2015029850.tif 000017
【図１６】
2015029850.tif 000018
【図１７】
2015029850.tif 000019
【図１８】
2015029850.tif 000020
【図１９】
2015029850.tif 000021
【図２０】
2015029850.tif 000022
【図２１】
2015029850.tif 000023
【図２２】
2015029850.tif 000024
【図２３】
2015029850.tif 000025
【図２４】
2015029850.tif 000026
【図２５】
2015029850.tif 000027
【図２６】
2015029850.tif 000028
【図２７】
2015029850.tif 000029
【図２８】
2015029850.tif 000030
【図２９】
2015029850.tif 000031
【図３０】
2015029850.tif 000032
【図３１】
2015029850.tif 000033
【図３２】
2015029850.tif 000034
【図３３】
2015029850.tif 000035
【図３４】
2015029850.tif 000036
【図３５】
2015029850.tif 000037
【図３６】
2015029850.tif 000038